(57)【要約】移動局１０におけるＤＳＣＨの受信品質に関する情報がＤＳＣＨ品質取得部３３で取得され、オフセット計算部３５によって、基地局２０のＤＳＣＨ送信部２１におけるＤＳＣＨの送信電力が、下りＡ−ＤＰＣＨの送信電力に加えて、さらに、ＤＳＣＨの受信品質に関する情報に基づいて制御されるので、このＤＳＣＨの送信電力を受信品質の劣化を抑制しつつ最適化することが可能とされる。なお本発明は、ＨＳＰＤＡにおけるＨＳ−ＳＣＣＨの送信電力の制御にも適用できる。
2003036822.tif 000002
【特許請求の範囲】
【請求項１】
複数の移動局に対して前記移動局毎の個別チャネルを用いて第一信号を所定の送信電力で送信すると共に、前記複数の移動局に対して前記複数の移動局間で同一の共有チャネルを時間的に重ならないように用い前記個別チャネルの送信電力に基づいて制御された送信電力で第二信号を送信する基地局を、制御する無線制御装置であって、
前記移動局における共有チャネルの受信品質に関する情報を取得する制御側共有チャネル品質取得手段と、
前記共有チャネルの送信電力を、さらに、前記取得した共有チャネルの受信品質に関する情報に基づいて制御させる共有チャネル送信電力制御手段と、
を備えることを特徴とする無線制御装置。
【請求項２】
前記制御側共有チャネル品質取得手段が取得した共有チャネルの受信品質に関する情報を前記移動局に対応づけて記憶する記憶手段を備え、前記共有チャネル送信電力制御手段は、前記共有チャネルの送信電力を当該記憶手段に記憶された共有チャネルの受信品質に関する情報に基づいて制御させることを特徴とする、請求項１に記載の無線制御装置。
【請求項３】
前記制御側共有チャネル品質取得手段は、前記移動局における共有チャネルの受信品質に関する情報として、前記共有チャネルの信号電力対干渉電力比に関する情報を取得することを特徴とする、請求項１又は２に記載の無線制御装置。
【請求項４】
前記制御側共有チャネル品質取得手段は、前記移動局における共有チャネルの受信品質に関する情報として、前記共有チャネルで受信した第二信号のＣＲＣ判定の結果に関する情報を取得することを特徴とする、請求項１又は２に記載の無線制御装置。
【請求項５】
前記制御側共有チャネル品質取得手段は、前記移動局における共有チャネルの受信品質に関する情報として、前記共有チャネルで受信した第二信号に対する再送制御に関する情報を取得することを特徴とする、請求項１又は２に記載の無線制御装置。
【請求項６】
前記共有チャネル送信電力制御手段は、前記共有チャネルの受信品質が予め定められた基準を満足しない場合に前記共有チャネルの送信電力のオフセット値を増加させ、前記共有チャネルの受信品質が前記基準を満足する場合には前記共有チャネルの送信電力のオフセット値を減少させる第一オフセット値制御手段を備えることを特徴とする、請求項１〜５の何れか一項に記載の無線制御装置。
【請求項７】
前記第一オフセット値制御手段は、前記共有チャネルの受信品質に関する情報が取得できなかった場合に、前記共有チャネルの受信品質に基づく前記共有チャネルの送信電力の増減を行わないことを特徴とする、請求項６に記載の無線制御装置。
【請求項８】
前記移動局で設定される前記個別チャネルの信号電力対干渉電力比の目標値に関する情報を取得する信号電力対干渉電力比目標値取得手段を備え、
前記共有チャネル送信電力制御手段は、前記共有チャネルの送信電力を、さらに、前記信号電力対干渉電力比の目標値に関する情報に基づいて制御させることを特徴とする、請求項１〜５の何れか一項に記載の無線制御装置。
【請求項９】
前記共有チャネル送信電力制御手段は、前記共有チャネルの受信品質が予め定められた基準を満足しない場合には前記共有チャネルの送信電力のオフセット値を増加させ、前記共有チャネルの受信品質が前記基準を満足する場合には前記共有チャネルの送信電力のオフセット値を減少させると共に、さらに、当該共有チャネルの送信電力のオフセット値から前記信号電力対干渉電力比の目標値の変化に関する量を減算する第二オフセット値制御手段を備えることを特徴とする、請求項８に記載の無線制御装置。
【請求項１０】
前記第二オフセット値制御手段は、前記共有チャネルの受信品質に関する情報が取得できなかった場合に、前記共有チャネルの受信品質に基づく前記共有チャネルの送信電力の増減を行わないことを特徴とする、請求項９に記載の無線制御装置。
【請求項１１】
前記第一信号は制御信号であり、前記第二信号はデータ信号であることを特徴とする、請求項１〜１０の何れか一項に記載の無線制御装置。
【請求項１２】
複数の移動局に対して前記移動局毎の個別チャネルを用いて第一信号を所定の送信電力で送信する個別チャネル送信手段と、
前記複数の移動局に対して前記複数の移動局間で同一の共有チャネルを時間的に重ならないように用い前記個別チャネルの送信電力に基づいて制御された送信電力で第二信号を送信する共有チャネル送信手段と、
前記移動局における前記共有チャネルの受信品質に関する情報を取得する制御側共有チャネル品質取得手段と、
前記共有チャネルの送信電力を、さらに、前記取得した共有チャネルの受信品質に関する情報に基づいて制御させる共有チャネル送信電力制御手段と、
を備えることを特徴とする基地局。
【請求項１３】
前記制御側共有チャネル品質取得手段が取得した共有チャネルの受信品質に関する情報を前記移動局に対応づけて記憶する記憶手段を備え、前記共有チャネル送信電力制御手段は、前記共有チャネルの送信電力を当該記憶手段に記憶された共有チャネルの受信品質に関する情報に基づいて制御させることを特徴とする、請求項１２に記載の基地局。
【請求項１４】
前記制御側共有チャネル品質取得手段は、前記移動局における共有チャネルの受信品質に関する情報として、前記共有チャネルの信号電力対干渉電力比に関する情報を取得することを特徴とする、請求項１２又は１３に記載の基地局。
【請求項１５】
前記制御側共有チャネル品質取得手段は、前記移動局における共有チャネルの受信品質に関する情報として、前記共有チャネルで受信した第二信号のＣＲＣ判定の結果に関する情報を取得することを特徴とする、請求項１２又は１３に記載の基地局。
【請求項１６】
前記制御側共有チャネル品質取得手段は、前記移動局における共有チャネルの受信品質に関する情報として、前記共有チャネルで受信した第二信号に対する再送制御に関する情報を取得することを特徴とする、請求項１２又は１３に記載の基地局。
【請求項１７】
前記共有チャネル送信電力制御手段は、前記共有チャネルの受信品質が予め定められた基準を満足しない場合に前記共有チャネルの送信電力のオフセット値を増加させ、前記共有チャネルの受信品質が前記基準を満足する場合には前記共有チャネルの送信電力のオフセット値を減少させる第一オフセット値制御手段を備えることを特徴とする、請求項１２〜１６の何れか一項に記載の基地局。
【請求項１８】
前記第一オフセット値制御手段は、前記共有チャネルの受信品質に関する情報が取得できなかった場合に、前記共有チャネルの受信品質に基づく前記共有チャネルの送信電力の増減を行わないことを特徴とする、請求項１７に記載の基地局。
【請求項１９】
前記移動局で設定される前記個別チャネルの信号電力対干渉電力比の目標値に関する情報を取得する信号電力対干渉電力比目標値取得手段を備え、
前記共有チャネル送信電力制御手段は、前記共有チャネルの送信電力を、さらに、前記信号電力対干渉電力比の目標値に関する情報に基づいて制御させることを特徴とする、請求項１２〜１６の何れか一項に記載の基地局。
【請求項２０】
前記共有チャネル送信電力制御手段は、前記共有チャネルの受信品質が予め定められた基準を満足しない場合には前記共有チャネルの送信電力のオフセット値を増加させ、前記共有チャネルの受信品質が前記基準を満足する場合には前記共有チャネルの送信電力のオフセット値を減少させると共に、さらに、当該共有チャネルの送信電力のオフセット値から前記信号電力対干渉電力比の目標値の変化に関する量を減算する第二オフセット値制御手段を備えることを特徴とする、請求項１９に記載の基地局。
【請求項２１】
前記第二オフセット値制御手段は、前記共有チャネルの受信品質に関する情報が取得できなかった場合に、前記共有チャネルの受信品質に基づく前記共有チャネルの送信電力の増減を行わないことを特徴とする、請求項２０に記載の基地局。
【請求項２２】
基地局から第一信号が個別チャネルを用いて所定の送信電力で送信されると共に、前記基地局から第二信号が他の移動局と同一の共有チャネルを用いて時間的に重ならないように、かつ、前記個別チャネルの送信電力に基づいて制御された送信電力で送信される移動局であって、
前記共有チャネルの受信品質を取得する移動局側共有チャネル品質取得手段と、
前記共有チャネルの受信品質に関する情報を前記基地局に送信する共有チャネル品質送信手段と、を備えることを特徴とする、移動局。
【請求項２３】
前記移動局側共有チャネル品質取得手段は、前記移動局における前記共有チャネルの受信品質に関する情報として、前記共有チャネルの信号電力対干渉電力比に関する情報を取得することを特徴とする、請求項２２に記載の移動局。
【請求項２４】
前記移動局側共有チャネル品質取得手段は、前記移動局における前記共有チャネルの受信品質に関する情報として、前記共有チャネルで受信した第二信号のＣＲＣ判定の結果に関する情報を取得することを特徴とする、請求項２２に記載の移動局。
【請求項２５】
前記移動局側共有チャネル品質取得手段は、前記移動局における前記共有チャネルの受信品質に関する情報として、前記共有チャネルで受信した第二信号に対する再送制御に関する情報を取得することを特徴とする、請求項２２に記載の移動局。
【請求項２６】
前記共有チャネル品質送信手段は、さらに前記個別チャネルの信号電力対干渉電力比の目標値に関する情報を前記基地局に送信することを特徴とする、請求項２２〜２５の何れか一項に記載の移動局。
【請求項２７】
前記第一信号は制御信号であり、前記第二信号はデータ信号であることを特徴とする、請求項２２〜２６の何れか一項に記載の移動局。
【請求項２８】
複数の移動局に対して前記移動局毎の個別チャネルを用いて第一信号を所定の送信電力で送信する個別チャネル送信手段及び前記複数の移動局に対して前記複数の移動局間で同一の共有チャネルを時間的に重ならないように用い前記個別チャネルの送信電力に基づいて制御された送信電力で第二信号を送信する共有チャネル送信手段を備える基地局と、当該基地局を制御する無線制御装置と、を含む移動パケット通信システムであって、
前記無線制御装置は請求項１〜１１の何れか１項に記載の無線制御装置であることを特徴とする移動パケット通信システム。
【請求項２９】
複数の移動局に対して前記移動局毎の個別チャネルを用いて第一信号を所定の送信電力で送信すると共に、前記複数の移動局に対して前記複数の移動局間で同一の共有チャネルを時間的に重ならないように用い前記個別チャネルの送信電力に基づいて制御された送信電力で第二信号を送信する無線制御方法であって、
前記移動局における共有チャネルの受信品質に関する情報を取得する制御側共有チャネル品質取得ステップと、
前記共有チャネルの送信電力を、さらに、前記取得した共有チャネルの受信品質に関する情報に基づいて制御させる共有チャネル送信電力制御ステップとを含むことを特徴とする、無線制御方法。
【請求項３０】
前記制御側共有チャネル品質取得ステップで取得された共有チャネルの受信品質に関する情報を前記移動局に対応づけて記憶手段に記憶する記憶ステップを含み、前記共有チャネル送信電力制御ステップは、前記共有チャネルの送信電力を当該記憶手段に記憶された共有チャネルの受信品質に関する情報に基づいて制御させることを特徴とする、請求項２９に記載の無線制御方法。
【請求項３１】
前記制御側共有チャネル品質取得ステップは、前記移動局における前記共有チャネルの受信品質に関する情報として、前記共有チャネルの信号電力対干渉電力比に関する情報を取得することを特徴とする、請求項２９又は３０に記載の無線制御方法。
【請求項３２】
前記制御側共有チャネル品質取得ステップは、前記移動局における前記共有チャネルの受信品質に関する情報として、前記共有チャネルで受信した第二信号のＣＲＣ判定の結果に関する情報を取得することを特徴とする、請求項２９又は３０に記載の無線制御方法。
【請求項３３】
前記制御側共有チャネル品質取得ステップは、前記移動局における前記共有チャネルの受信品質に関する情報として、前記共有チャネルで受信した第二信号に対する再送制御に関する情報を取得することを特徴とする、請求項２９又は３０に記載の無線制御方法。
【請求項３４】
前記共有チャネル送信電力制御ステップは、前記共有チャネルの受信品質が予め定められた基準を満足しない場合に前記共有チャネルの送信電力のオフセット値を増加させ、前記共有チャネルの受信品質が前記基準を満足する場合には前記共有チャネルの送信電力のオフセット値を減少させる第一オフセット値制御ステップを含むことを特徴とする、請求項２９〜３３の何れか一項に記載の無線制御方法。
【請求項３５】
前記第一オフセット値制御ステップは、前記共有チャネルの受信品質に関する情報が取得できなかった場合に、前記共有チャネルの受信品質に基づく前記共有チャネルの送信電力の増減を行わないことを特徴とする、請求項３４に記載の無線制御方法。
【請求項３６】
前記移動局で設定される前記個別チャネルの信号電力対干渉電力比の目標値に関する情報を取得する信号電力対干渉電力比目標値取得ステップを含み、
前記共有チャネル送信電力制御ステップは、前記共有チャネルの送信電力を、さらに、前記送信された信号電力対干渉電力比の目標値に関する情報に基づいて制御させることを特徴とする、請求項２９〜３３の何れか一項に記載の無線制御方法。
【請求項３７】
前記共有チャネル送信電力制御ステップは、前記共有チャネルの受信品質が予め定められた基準を満足しない場合には前記共有チャネルの送信電力のオフセット値を増加させ、前記共有チャネルの受信品質が前記基準を満足する場合には前記共有チャネルの送信電力のオフセット値を減少させると共に、さらに、当該共有チャネルのオフセット値から前記信号電力対干渉電力比の目標値の変化に関する量を減算する第二オフセット値制御ステップを含むことを特徴とする、請求項３６に記載の無線制御方法。
【請求項３８】
前記第二オフセット値制御ステップは、前記共有チャネルの受信品質に関する情報が取得できなかった場合に、前記共有チャネルの受信品質に基づく前記共有チャネルの送信電力の増減を行わないことを特徴とする、請求項３７に記載の無線制御方法。
【請求項３９】
前記第一信号は制御信号であり、前記第二信号はデータ信号であることを特徴とする、請求項２９〜３８の何れか一項に記載の無線制御方法。
【請求項４０】
複数の移動局に対して前記移動局毎の個別チャネルを用いて第一信号を所定の送信電力で送信すると共に、前記複数の移動局に対して前記複数の移動局間で同一の共有チャネルを時間的に重ならないように用い前記個別チャネルの送信電力に基づいて制御された送信電力で第二信号を送信する制御をコンピュータに実行させるための無線制御プログラムであって、
コンピュータに、前記移動局における共有チャネルの受信品質に関する情報を取得する制御側共有チャネル品質取得ステップと、
前記共有チャネルの送信電力を、さらに、前記取得した共有チャネルの受信品質に関する情報に基づいて制御させる共有チャネル送信電力制御ステップと、を実行させる無線制御プログラム。
【請求項４１】
前記制御側共有チャネル品質取得ステップで取得された共有チャネルの受信品質に関する情報を前記移動局に対応づけて記憶手段に記憶する記憶ステップをさらにコンピュータに実行させ、前記共有チャネル送信電力制御ステップは、前記共有チャネルの送信電力を当該記憶手段に記憶された共有チャネルの受信品質に関する情報に基づいて制御させることを特徴とする、請求項４０に記載の無線制御プログラム。
【請求項４２】
前記制御側共有チャネル品質取得ステップは、前記移動局における前記共有チャネルの受信品質に関する情報として、前記共有チャネルの信号電力対干渉電力比に関する情報を取得することを特徴とする、請求項４０又は４１に記載の無線制御プログラム。
【請求項４３】
前記制御側共有チャネル品質取得ステップは、前記移動局における前記共有チャネルの受信品質に関する情報として、前記共有チャネルで受信した第二信号のＣＲＣ判定の結果に関する情報を取得することを特徴とする、請求項４０又は４１に記載の無線制御プログラム。
【請求項４４】
前記制御側共有チャネル品質取得ステップは、前記移動局における前記共有チャネルの受信品質に関する情報として、前記共有チャネルで受信した第二信号に対する再送制御に関する情報を取得することを特徴とする、請求項４０又は４１に記載の無線制御プログラム。
【請求項４５】
前記共有チャネル送信電力制御ステップは、前記共有チャネルの受信品質が予め定められた基準を満足しない場合に前記共有チャネルの送信電力のオフセット値を増加させ、前記共有チャネルの受信品質が前記基準を満足する場合には前記共有チャネルの送信電力のオフセット値を減少させる第一オフセット値制御ステップを含むことを特徴とする、請求項４０〜４４の何れか一項に記載の無線制御プログラム。
【請求項４６】
前記第一オフセット値制御ステップは、前記共有チャネルの受信品質に関する情報が取得できなかった場合に、前記共有チャネルの受信品質に基づく前記共有チャネルの送信電力の増減を行わないことを特徴とする、請求項４５に記載の無線制御プログラム。
【請求項４７】
前記移動局で設定される前記個別チャネルの信号電力対干渉電力比の目標値に関する情報を取得する信号電力対干渉電力比目標値取得ステップを含み、
前記共有チャネル送信電力制御ステップは、前記共有チャネルの送信電力を、さらに、前記送信された信号電力対干渉電力比の目標値に関する情報に基づいて制御させることを特徴とする、請求項４０〜４４の何れか一項に記載の無線制御プログラム。
【請求項４８】
前記共有チャネル送信電力制御ステップは、前記共有チャネルの受信品質が予め定められた基準を満足しない場合には前記共有チャネルの送信電力のオフセット値を増加させ、前記共有チャネルの受信品質が前記基準を満足する場合には前記共有チャネルの送信電力のオフセット値を減少させると共に、さらに、当該共有チャネルのオフセット値から前記信号電力対干渉電力比の目標値の変化に関する量を減算する第二オフセット値制御ステップを含むことを特徴とする、請求項４７に記載の無線制御プログラム。
【請求項４９】
前記第二オフセット値制御ステップは、前記共有チャネルの受信品質に関する情報が取得できなかった場合に、前記共有チャネルの受信品質に基づく前記共有チャネルの送信電力の増減を行わないことを特徴とする、請求項４８に記載の無線制御プログラム。
【請求項５０】
前記第一信号は制御信号であり、前記第二信号はデータ信号であることを特徴とする、請求項４０〜４９の何れか一項に記載の無線制御プログラム。
【請求項５１】
請求項４０〜５０の何れか一項に記載の無線制御プログラムが記録されたことを特徴とするコンピュータ読み取り可能な記憶媒体。
【発明の詳細な説明】
技術分野
本発明は、無線制御装置、基地局、無線制御方法、移動パケット通信システム、移動局、無線制御プログラム及びコンピュータ読み取り可能な記憶媒体に関するものである。
背景技術
従来、移動パケット通信においては、周波数利用効率を高めるという観点並びにパケット通信はある程度の遅延が許容されるという性質から、通常、単一の無線チャネルに複数の移動局へのユーザデータを時間的に重ならないように、すなわち、時間多重して送信し、無線チャネルを複数の移動局で共有するという手法を用いる。
このようなチャネル構成としては、例えば、図２５に示すような、３ＧＰＰで規定されている仕様（３ＧＰＰ  ＴＳ２５．２１１を参照）がある。なお、このような移動パケット通信システムにおける無線ネットワーク（ＲＡＮ：Ｒａｄｉｏ  Ａｃｃｅｓｓ  Ｎｅｔｗｏｒｋ）については、例えば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）の技術仕様書（Ｔｅｃｈｎｉｃａｌ  Ｓｐｅｃｉｆｉｃａｔｉｏｎ）の、“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）（Ｒｅｌｅａｓｅ  １９９９）”３ＧＰＰ  ＴＳ  ２５．２１１  Ｖ３．１１．０（２００２−０６）、”Ｍｕｌｔｉｐｌｅｘｉｎｇ  ａｎｄ  ｃｈａｎｎｅｌ  ｃｏｄｉｎｇ（ＦＤＤ）（Ｒｅｌｅａｓｅ  １９９９）”３ＧＰＰ  ＴＳ  ２５．２１２  Ｖ３．１０．０（２００２−０６）、”Ｓｐｒｅａｄｉｎｇ  ａｎｄ  ｍｏｄｕｌａｔｉｏｎ（ＦＤＤ）（Ｒｅｌｅａｓｅ  １９９９）”３ＧＰＰ  ＴＳ  ２５．２１３  Ｖ３．８．０（２００２−０６）、”Ｐｈｙｓｉｃａｌ  ｌａｙｅｒ  ｐｒｏｃｅｄｕｒｅｓ（ＦＤＤ）（Ｒｅｌｅａｓｅ  １９９９）”３ＧＰＰ  ＴＳ  ２５．２１４  Ｖ３．１０．０（２００２−０３）、”Ｐｈｙｓｉｃａｌ  ｌａｙｅｒ−Ｍｅａｓｕｒｅｍｅｎｔｓ（ＦＤＤ）（Ｒｅｌｅａｓｅ  １９９９）３ＧＰＰ  ＴＳ２５．２１５  Ｖ３．１０．０（２００２−０３）等（ｈｔｔｐ：／／ｗｗｗ．３ｇｐｐ．ｏｒｇ／ｆｔｐ／Ｓｐｅｃｓ／ｌａｔｅｓｔ／Ｒ１９９９／２５＿ｓｅｒｉｅｓ／２５２１１−３ｂ０．ｚｉｐ／，２５２１２−３ａ０．ｚｉｐ，２５２１３−３８０．ｚｉｐ，２５２１４−３ａ０．ｚｉｐ，２５２１５−３ａ０．ｚｉｐ等参照）に開示されている。
すなわち、下り回線においては、複数の移動局１０によって共有され各々の移動局１０へユーザデータを送信可能な共有チャネル（以下、ＤＳＣＨ）と、移動局１０毎に設定されその移動局１０へ制御信号を送信可能な個別チャネル（以下、下りＡ−ＤＰＣＨ）との２本の無線チャネルが用いられ、また、上り回線においては、移動局１０毎に設定されユーザデータ及び制御信号を多重して基地局２０へ送信可能な１本の個別チャネル（以下、上りＡ−ＤＰＣＨ）が用いられ、パケット通信が行われる。
ここで、下りＡ−ＤＰＣＨは、制御信号を送信する役割を担っており、比較的低速な回線速度に設定される。一方、ＤＳＣＨは、高速にユーザデータの通信を行えるように下りＡ−ＤＰＣＨと比較して高速な回線速度に設定される。
このようなチャネル構成の移動パケット通信システムにおいてＤＳＣＨを介してユーザデータを送信する際には、まず、基地局２０は、ＤＳＣＨを介してユーザデータを送信する無線フレームに先立つ無線フレームにて、あらかじめＤＳＣＨを介したユーザデータの送信がされる旨を下りＡ−ＤＰＣＨを介して移動局１０に通知する。そして、通知を受けた移動局１０は、ＤＳＣＨを介したユーザデータの送信があると判明した場合にのみＤＳＣＨを介したユーザデータの受信を開始する。
このように、基地局２０が複数の移動局１０に対して、下りＡ−ＤＰＣＨを介してＤＳＣＨ送信の通知を各々行い、続いて、ＤＳＣＨを介してユーザデータの送信を行うことにより、基地局２０はＤＳＣＨを介してユーザデータを送信する相手の移動局１０を自由に変更することができ、一つの共有チャネルで複数の移動局１０にそれぞれユーザデータを時間多重して伝送することができ、効率的なパケット通信が可能となっている。
なお、下り回線として、基地局と各移動局との間には下りＡ−ＤＰＣＨ及びＤＳＣＨの２本のチャネルが設定されるが、ＤＳＣＨは常時設定されているわけではなく、下りＡ−ＤＰＣＨを介して通知を受けた場合にのみ設定される。
ところで、ＣＤＭＡのように、符号を用いてチャネルを構成する無線通信システムにおいては、遠近問題の解消や加入者容量の増加を図るべく、上りＡ−ＤＰＣＨや、下りＡ−ＤＰＣＨや、ＤＳＣＨの送信電力の制御が重要な要素技術となる。例えば、ＩＭＴ−２０００で採用が決定したＷ−ＣＤＭＡシステムにおいては、高速送信電力制御（以下、ＴＰＣ）や、アウターループ送信電力制御と呼ばれる送信電力制御技術が適用される。
以下、ＣＤＭＡを例にとって送信電力制御技術について説明する。図２６は、ＣＤＭＡにおける送信電力制御の動作を示す模式図である。
まず、ＴＰＣについて説明する。移動局１０は受信した下りＡ−ＤＰＣＨの信号電力対干渉電力比（以下、ＳＩＲ）を取得し、その結果と予め定められたＳＩＲの目標値（ターゲット値）とを比較する。取得された下りＡ−ＤＰＣＨのＳＩＲがＳＩＲの目標値よりも低ければ、基地局２０に対して、下りＡ−ＤＰＣＨの送信電力を増加させるように、上りＡ−ＤＰＣＨにて送信電力を制御するＴＰＣコマンドを送信する。一方、取得されたＳＩＲがＳＩＲの目標値よりも大きければ、基地局２０に対して、下りＡ−ＤＰＣＨの送信電力を低下させるように、上りＡ−ＤＰＣＨにてＴＰＣコマンドを送信する。そして、基地局２０では、このＴＰＣコマンドに基づいて、下りＡ−ＤＰＣＨの送信電力を制御する。
一方、基地局２０でも、同様に、受信した上りＡ−ＤＰＣＨのＳＩＲを計算し、予め定められたＳＩＲの目標値と取得された上りＡ−ＤＰＣＨのＳＩＲとを比較し、これに基づいて、下りＡ−ＤＰＣＨにて、送信電力の増加又は減少を要求するＴＰＣコマンドを送信する。そして、移動局１０は、このＴＰＣコマンドに基づいて、上りＡ−ＤＰＣＨの送信電力を制御する。このようにして、移動局１０と基地局２０とはＴＰＣによって互いの送信電力を調整し合い、常に最適な送信電力が保たれるよう動作する。
さらに、上りＡ−ＤＰＣＨ、下りＡ−ＤＰＣＨにはアウターループ送信電力制御と呼ばれる送信電力制御技術も適用される。ＴＰＣでは受信信号のＳＩＲとＳＩＲの目標値との比較に基づき送信電力を制御するが、このアウターループ送信電力制御では、このＴＰＣのＳＩＲの目標値を、各々の受信側で取得したデータのフレーム誤り率などの受信データの品質に基づいてさらに制御するものである。
そして、このようなＴＰＣとアウターループ送信電力制御との２段階構成の送信電力制御技術が適用されることにより、下りＡ−ＤＰＣＨ及び上りＡ−ＤＰＣＨに関して送信電力の最適化が図られている。
一方、ＤＳＣＨの送信電力は、下りＡ−ＤＰＣＨの送信電力値に対して、予め定められた値（オフセット値）を加算等した値、すなわち、下りＡ−ＤＰＣＨの送信電力に基づいて制御される。これは下りＡ−ＤＰＣＨの送信電力は、ＴＰＣやアウターループ送信電力制御等に基づき常に最適に制御されているものと考えられ、また下りＡ−ＤＰＣＨとＤＳＣＨとを介してデータが同時に移動局１０に対して送信されるため、無線回線状態は下りＡ−ＤＰＣＨとＤＳＣＨとでほぼ同一とみなせると考えられるからである。
ここで、オフセット値は基地局を制御する無線制御装置３０から基地局２０へと通知されるものであって、ＤＳＣＨの情報伝送速度等に応じて通信事業者等によって予め定められた固定値である。
しかしながら、このオフセット値の最適値は、本来、移動局１０と基地局２０との位置関係等により変化するものであり、固定的なオフセット値でＤＳＣＨの送信電力制御を行うと、ＤＳＣＨの送信電力が不足したり、又は、ＤＳＣＨの送信電力が過剰とされたりするおそれがある。ＤＳＣＨへの送信電力が不足した場合は通信品質が劣化し、また、送信電力が過剰な場合、当該移動局の通信品質は維持されるものの、通信中の他の移動局１０に対してより大きな干渉を与えるので、全体的に見るとやはり品質が劣化する。
本発明は、上記課題に鑑みてなされたものであり、通信品質の劣化を抑制しつつ、共有チャネルの送信電力を最適化することが可能な、無線制御装置、基地局、無線制御方法、移動パケット通信システム、移動局無線制御プログラム及びコンピュータ読み取り可能な記録媒体を提供することを目的としている。
発明の開示
上記課題を解決するために、本発明に係る無線制御装置は、複数の移動局に対して上記移動局毎の個別チャネルを用いて第一信号を所定の送信電力で送信すると共に、上記複数の移動局に対して上記複数の移動局間で同一の共有チャネルを時間的に重ならないように用い上記個別チャネルの送信電力に基づいて制御された送信電力で第二信号を送信する基地局を、制御する無線制御装置であって、上記移動局における共有チャネルの受信品質に関する情報を取得する制御側共有チャネル品質取得手段と、上記共有チャネルの送信電力を、さらに、上記取得した共有チャネルの受信品質に関する情報に基づいて制御させる共有チャネル送信電力制御手段と、を備えることを特徴とする。
本発明に係る基地局は、複数の移動局に対して上記移動局毎の個別チャネルを用いて第一信号を所定の送信電力で送信する個別チャネル送信手段と、上記複数の移動局に対して上記複数の移動局間で同一の共有チャネルを時間的に重ならないように用い上記個別チャネルの送信電力に基づいて制御された送信電力で第二信号を送信する共有チャネル送信手段と、上記移動局における上記共有チャネルの受信品質に関する情報を取得する制御側共有チャネル品質取得手段と、上記共有チャネルの送信電力を、さらに、上記取得した共有チャネルの受信品質に関する情報に基づいて制御させる共有チャネル送信電力制御手段と、を備えることを特徴とする。
本発明に係る無線制御方法は、複数の移動局に対して上記移動局毎の個別チャネルを用いて第一信号を所定の送信電力で送信すると共に、上記複数の移動局に対して上記複数の移動局間で同一の共有チャネルを時間的に重ならないように用い上記個別チャネルの送信電力に基づいて制御された送信電力で第二信号を送信する無線制御方法であって、上記移動局における共有チャネルの受信品質に関する情報を取得する制御側共有チャネル品質取得ステップと、上記共有チャネルの送信電力を、さらに、上記取得した共有チャネルの受信品質に関する情報に基づいて制御させる共有チャネル送信電力制御ステップとを含むことを特徴とする。
本発明に係る無線制御プログラムは、複数の移動局に対して上記移動局毎の個別チャネルを用いて第一信号を所定の送信電力で送信すると共に、上記複数の移動局に対して上記複数の移動局間で同一の共有チャネルを時間的に重ならないように用い上記個別チャネルの送信電力に基づいて制御された送信電力で第二信号を送信する制御をコンピュータに実行させるための無線制御プログラムであって、コンピュータに、上記移動局における共有チャネルの受信品質に関する情報を取得する制御側共有チャネル品質取得ステップと、上記共有チャネルの送信電力を、さらに、上記取得した共有チャネルの受信品質に関する情報に基づいて制御させる共有チャネル送信電力制御ステップと、を実行させる。
これらの発明によれば、移動局における共有チャネルの受信品質に関する情報が取得され、共有チャネルの送信電力が、個別チャネルの送信電力に加えて、さらに、共有チャネルの受信品質に関する情報に基づいて制御されるので、この共有チャネルの送信電力を、受信品質の劣化を抑制しつつ最適化することが可能とされる。
ここで、上記無線制御装置、上記基地局において、上記制御側共有チャネル品質取得手段が取得した共有チャネルの受信品質に関する情報を上記移動局に対応づけて記憶する記憶手段を備え、上記共有チャネル送信電力制御手段は、上記共有チャネルの送信電力を当該記憶手段に記憶された共有チャネルの受信品質に関する情報に基づいて制御させることが好ましい。
また、上記無線制御方法において、上記制御側共有チャネル品質取得ステップで取得された共有チャネルの受信品質に関する情報を上記移動局に対応づけて記憶手段に記憶する記憶ステップを含み、上記共有チャネル送信電力制御ステップは、上記共有チャネルの送信電力を当該記憶手段に記憶された共有チャネルの受信品質に関する情報に基づいて制御させることが好ましい。
また、上記無線制御プログラムにおいて、上記制御側共有チャネル品質取得ステップで取得された共有チャネルの受信品質に関する情報を上記移動局に対応づけて記憶手段に記憶する記憶ステップをさらにコンピュータに実行させ、上記共有チャネル送信電力制御ステップは、上記共有チャネルの送信電力を当該記憶手段に記憶された共有チャネルの受信品質に関する情報に基づいて制御させることが好ましい。
これらによれば、共有チャネルの受信品質に関する情報が移動局に対応づけて記憶され、必要に応じて対応する共有チャネルの受信品質に関する情報を読み出すことが可能とされるので、移動局毎の共有チャネルの送信電力の制御が好適になされる。
また、上記無線制御装置、上記基地局において、上記制御側共有チャネル品質取得手段は、上記移動局における共有チャネルの受信品質に関する情報として、上記共有チャネルの信号電力対干渉電力比に関する情報を取得することが好ましい。
また、上記無線制御方法、上記無線制御プログラムにおいて、上記制御側共有チャネル品質取得ステップは、上記移動局における上記共有チャネルの受信品質に関する情報として、上記共有チャネルの信号電力対干渉電力比に関する情報を取得することが好ましい。
また、上記無線制御装置、上記基地局において、制御側共有チャネル品質取得手段は、上記移動局における共有チャネルの受信品質に関する情報として、上記共有チャネルで受信した第二信号のＣＲＣ判定の結果に関する情報を取得してもよい。
また、上記無線制御方法、上記無線制御プログラムにおいて、上記制御側共有チャネル品質取得ステップは、上記移動局における上記共有チャネルの受信品質に関する情報として、上記共有チャネルで受信した第二信号のＣＲＣ判定の結果に関する情報を取得してもよい。
また、上記無線制御装置、上記基地局において、上記制御側共有チャネル品質取得手段は、上記移動局における共有チャネルの受信品質に関する情報として、上記共有チャネルで受信した第二信号に対する再送制御に関する情報を取得してもよい。
また、上記無線制御方法、上記無線制御プログラムにおいて、上記制御側共有チャネル品質取得ステップは、上記移動局における上記共有チャネルの受信品質に関する情報として、上記共有チャネルで受信した第二信号に対する再送制御に関する情報を取得してもよい。
これらのような指標を共有チャネルの品質に関する情報として採用することにより、共有チャネルの送信電力の制御が好適になされる。
また、上記無線制御装置、上記基地局において、上記共有チャネル送信電力制御手段は、上記共有チャネルの受信品質が予め定められた基準を満足しない場合に上記共有チャネルの送信電力のオフセット値を増加させ、上記共有チャネルの受信品質が上記基準を満足する場合には上記共有チャネルの送信電力のオフセット値を減少させる第一オフセット値制御手段を備えることが好ましい。
また、上記無線制御方法、上記無線制御プログラムにおいて、上記共有チャネル送信電力制御ステップは、上記共有チャネルの受信品質が予め定められた基準を満足しない場合に上記共有チャネルの送信電力のオフセット値を増加させ、上記共有チャネルの受信品質が上記基準を満足する場合には上記共有チャネルの送信電力のオフセット値を減少させる第一オフセット値制御ステップを含むことが好ましい。
これらによれば、共有チャネルの受信品質に基づいてオフセット値の増減が行われ、基地局において共有チャネルの送信電力を個別チャネルの送信電力にオフセット値を加算した値として制御することにより、共有チャネルの送信電力の制御が簡易かつ効率的になされる。
また、上記無線制御装置、上記基地局において、上記第一オフセット値制御手段は、上記共有チャネルの受信品質に関する情報が取得できなかった場合に、上記共有チャネルの受信品質に基づく上記共有チャネルの送信電力の増減を行わないことが好ましい。
また、上記無線制御方法、上記無線制御プログラムにおいて、上記第一オフセット値制御ステップは、上記共有チャネルの受信品質に関する情報が取得できなかった場合に、上記共有チャネルの受信品質に基づく上記共有チャネルの送信電力の増減を行わないことが好ましい。
これらによれば、共有チャネルの受信品質に関する情報が取得できなかった場合に、オフセット値に対する共有チャネルの受信品質に基づく増減がされないので、共有チャネルの送信電力の不要な変動が抑制され、共有チャネルによる第二信号の送信が安定に行われる。
また、上記無線制御装置、上記基地局において、上記移動局で設定される上記個別チャネルの信号電力対干渉電力比の目標値に関する情報を取得する信号電力対干渉電力比目標値取得手段を備え、上記共有チャネル送信電力制御手段は、上記共有チャネルの送信電力を、さらに、上記信号電力対干渉電力比の目標値に関する情報に基づいて制御させてもよい。
また、上記無線制御方法、上記無線制御プログラムにおいて、上記移動局で設定される上記個別チャネルの信号電力対干渉電力比の目標値に関する情報を取得する信号電力対干渉電力比目標値取得ステップを含み、上記共有チャネル送信電力制御ステップは、上記共有チャネルの送信電力を、さらに、上記送信された信号電力対干渉電力比の目標値に関する情報に基づいて制御させてもよい。
基地局から移動局への個別チャネルの送信電力の最適化を行うべく、基地局で個別チャネルの信号電力対干渉電力比の目標値を設定し、個別チャネルの信号電力対干渉電力比が、この信号電力対干渉電力比の目標値となるように個別チャネルの送信電力を制御する、いわゆる、ＴＰＣが行なわれると共に、さらに、この信号電力対干渉電力比の目標値を、個別チャネルで受信した制御信号の品質に基づいて制御する、いわゆる、アウターループ制御が行われる場合がある。
このとき、このＴＰＣ及びアウターループ制御によって、信号電力対干渉電力比の目標値が変更されると、これに伴って個別チャネルの送信電力が変化する。これにより、共有チャネルの送信電力の制御において、この個別チャネルの送信電力の変化に基づく共有チャネルの送信電力の変化と、共有チャネルの受信品質に関する情報に基づく共有チャネルの送信電力の変化とが重なって、共有チャネルの送信電力において急激な変動が起こるおそれがある。
ところが上述の発明によれば、基地局において信号電力対干渉電力比の目標値に関する情報の取得が可能とされ、共有チャネルの送信電力を、さらに、この信号電力対干渉電力比の目標値に関する情報に基づいて制御できるので、信号電力対干渉電力比の目標値の変化による個別チャネルの送信電力の変化を考慮に入れて、共有チャネルの送信電力の増減幅を調節することが可能とされる。このため、より好適に、共有チャネルの送信電力の最適化が可能とされる。
また、上記無線制御装置、上記基地局において、上記共有チャネル送信電力制御手段は、上記共有チャネルの受信品質が予め定められた基準を満足しない場合には上記共有チャネルの送信電力のオフセット値を増加させ、上記共有チャネルの受信品質が上記基準を満足する場合には上記共有チャネルの送信電力のオフセット値を減少させると共に、さらに、当該共有チャネルの送信電力のオフセット値から上記信号電力対干渉電力比の目標値の変化に関する量を減算する第二オフセット値制御手段を備えてもよい。
また、上記無線制御方法、上記無線制御プログラムにおいて、上記共有チャネル送信電力制御ステップは、上記共有チャネルの受信品質が予め定められた基準を満足しない場合には上記共有チャネルの送信電力のオフセット値を増加させ、上記共有チャネルの受信品質が上記基準を満足する場合には上記共有チャネルの送信電力のオフセット値を減少させると共に、さらに、当該共有チャネルのオフセット値から上記信号電力対干渉電力比の目標値の変化に関する量を減算する第二オフセット値制御ステップを含んでもよい。
これらによれば、共有チャネルの受信品質に基づいてオフセット値の増減を行い、基地局側で、共有チャネルの送信電力を、個別チャネルの送信電力にオフセット値を加算した値として制御することにより、個別チャネルの送信電力及び共有チャネルの受信品質に基づく共有チャネルの送信電力の制御が簡易かつ効率的になされる。また、信号電力対干渉電力比の目標値が増加／減少した場合、このオフセット値からこの信号電力対干渉電力比の目標値の増加／減少に関する量が減算されるので、この目標値の増加／減少に伴って変化する個別チャネルの送信電力の増加／減少分をあらかじめオフセットの変化量から差し引くことができ、共有チャネルの送信電力における急激な変動が抑制される。
また、上記無線制御装置、上記基地局において、上記第二オフセット値制御手段は、上記共有チャネルの受信品質に関する情報が取得できなかった場合に、上記共有チャネルの受信品質に基づく上記共有チャネルの送信電力の増減を行わないことが好ましい。
また、上記無線制御方法、上記無線制御プログラムにおいて、上記第二オフセット値制御ステップは、上記共有チャネルの受信品質に関する情報が取得できなかった場合に、上記共有チャネルの受信品質に基づく上記共有チャネルの送信電力の増減を行わないことが好ましい。
これらによれば、共有チャネルの受信品質に関する情報が取得できなかった場合に、オフセット値に対する共有チャネルの受信品質に基づく増減がされないので、共有チャネルの送信電力の不要な変動が抑制され、共有チャネルによるデータ信号の送信が安定に行われる。
また、上記無線制御装置、上記無線制御方法、上記無線制御プログラムにおいて、上記第一信号を制御信号とし、上記第二信号をデータ信号とすることができる。
本発明に係る移動パケット通信システムは、複数の移動局に対して上記移動局毎の個別チャネルを用いて第一信号を所定の送信電力で送信する個別チャネル送信手段及び上記複数の移動局に対して上記複数の移動局間で同一の共有チャネルを時間的に重ならないように用い上記個別チャネルの送信電力に基づいて制御された送信電力で第二信号を送信する共有チャネル送信手段を備える基地局と、当該基地局を制御する無線制御装置と、を含む移動パケット通信システムであって、当該無線制御装置は上記何れかの無線制御装置であることを特徴とする。
本発明に係る移動パケット通信システムによれば、移動局における共有チャネルの受信品質に関する情報が上記の無線制御装置で取得され、共有チャネルの送信電力が、個別チャネルの送信電力に加えて、さらに、共有チャネルの受信品質に関する情報に基づいて制御されるので、この共有チャネルの送信電力を、受信品質の劣化を抑制しつつ最適化することが可能とされる。
本発明に係る移動局は、基地局から第一信号が個別チャネルを用いて所定の送信電力で送信されると共に、上記基地局から第二信号が他の移動局と同一の共有チャネルを用いて時間的に重ならないように、かつ、上記個別チャネルの送信電力に基づいて制御された送信電力で送信される移動局であって、上記共有チャネルの受信品質を取得する移動局側共有チャネル品質取得手段と、上記共有チャネルの受信品質に関する情報を上記基地局に送信する共有チャネル品質送信手段と、を備えることを特徴とする。
本発明に係る移動局によれば、共通チャネルの送信電力が取得され基地局に送信されるので、基地局側において、共通チャネルの送信電力を、さらに、当該共通チャネルの受信品質に関する情報に基づいて制御することが可能とされ、受信品質の劣化を抑制しつつ最適化することが可能とされる。
ここで、上記移動局において、上記移動局側共有チャネル品質取得手段は、上記移動局における上記共有チャネルの受信品質に関する情報として、上記共有チャネルの信号電力対干渉電力比に関する情報を取得することが好ましい。
また、上記移動局において、上記移動局側共有チャネル品質取得手段は、上記移動局における上記共有チャネルの受信品質に関する情報として、上記共有チャネルで受信した第二信号のＣＲＣ判定の結果に関する情報を取得してもよい。
また、上記移動局において、上記移動局側共有チャネル品質取得手段は、上記移動局における上記共有チャネルの受信品質に関する情報として、上記共有チャネルで受信した第二信号に対する再送制御に関する情報を取得してもよい。
このような指標を共通チャネルの品質に関する情報として採用することにより、共通チャネルの送信電力の制御が好適になされる。
また、上記移動局において、上記共有チャネル品質送信手段は、さらに上記個別チャネルの信号電力対干渉電力比の目標値に関する情報を上記基地局に送信してもよい。
基地局から移動局への個別チャネルの送信電力の最適化を行うべく、基地局で個別チャネルの信号電力対干渉電力比の目標値を設定し、個別チャネルの信号電力対干渉電力比が、この信号電力対干渉電力比の目標値となるように個別チャネルの送信電力を制御する制御コマンドを生成し送信する、いわゆる、ＴＰＣが行なわれると共に、さらに、この信号電力対干渉電力比の目標値を、個別チャネルで受信した制御信号の品質に基づいて制御する、いわゆる、アウターループ制御が行われる場合がある。
このとき、このＴＰＣ及びアウターループ制御によって、信号電力対干渉電力比の目標値が変更されると、これに伴って個別チャネルの送信電力が変化する。すると、共通チャネルの送信電力の制御において、この個別チャネルの送信電力の変化に基づく共通チャネルの送信電力の変化と、共通チャネルの受信品質に関する情報に基づく共通チャネルの送信電力の変化とが重なって、共通チャネルの送信電力において急激な変動が起こるおそれがある。
ところが本発明の移動局によれば、信号電力対干渉電力比の目標値に関する情報が基地局に対して送信され、共通チャネルの送信電力を、さらに、この信号電力対干渉電力比の目標値に関する情報に基づいて制御し、信号電力対干渉電力比の目標値の変化による個別チャネルの送信電力の変化を考慮に入れて、共通チャネルの送信電力の増減幅を調節することが可能とされるので、より好適に、共通チャネルの送信電力の最適化が可能とされる。
また、上記移動局において、上記第一信号を制御信号とし、上記第二信号をデータ信号とすることができる。
発明を実施するための最良の形態
以下、添付図面を参照しながら、本発明に係る無線制御装置、無線制御方法、移動パケット通信システム、及び、移動局の好適な実施形態について詳細に説明する。
（第一実施形態）
図１は、第１実施形態の移動パケット通信システム１００の主な構成を示している。本実施形態の移動パケット通信システム１００は、移動局１０との間でＣＤＭＡ（Ｃｏｄｅ  Ｄｉｖｉｓｉｏｎ  Ｍｕｌｔｉｐｌｅ  Ａｃｃｅｓｓ：符号分割多元接続）方式の無線パケット通信を行う基地局２０と、この基地局２０を制御すると共に交換装置４０と接続された無線制御装置３０と、を含む。
図２に本実施形態の移動局１０、基地局２０及び無線制御装置３０の構成図を示す。無線制御装置３０は、幹線網側から交換装置４０を介して到達する各々の移動局１０宛てのユーザデータ（データ信号）を一時的に記憶するためのユーザデータバッファ３１を備えると共に、ユーザデータの送出順序を制御しつつこのユーザデータを対応する基地局２０に送り移動局１０に向けて送信させるキューイング処理部３２を備えている。
基地局２０は、移動局１０に対して、制御信号を下りＡ−ＤＰＣＨ（個別チャネル）によって所定の送信電力で送信する下りＡ−ＤＰＣＨ送信部（個別チャネル送信手段）２２を備えている。また、基地局２０は、無線制御装置３０のキューイング処理部３２から送られるユーザデータを受け、移動局１０に対してこのユーザーデータをＤＳＣＨ（共有（共通）チャネル）によって送信するＤＳＣＨ送信部（共有チャネル送信手段）２１を備えている。このＤＳＣＨ送信部２１は、ＤＳＣＨの送信電力を、下りＡ−ＤＰＣＨの送信電力に所定のオフセット値を加算した値として制御する（詳しくは後述）。
ここで、ＤＳＣＨは、複数の移動局１０間で共有され複数の移動局１０宛のデータ信号を時間的重ならないように、すなわち、時間分割して送信するチャネルであり、また、下りＡ−ＤＰＣＨは、移動局１０毎に個別に割り当てられ、移動局１０宛の制御信号を送信するチャネルである。
移動局１０は、基地局２０の下りＡ−ＤＰＣＨ送信部２２から送信される制御信号を受信する下りＡ−ＤＰＣＨ受信部１３を備えている。また、移動局１０は、この下りＡ−ＤＰＣＨ受信部１３で受信した制御信号に基づいて、基地局２０のＤＳＣＨ送信部２１から送信されるユーザデータを受信すると共に、受信されたユーザデータを、パソコン等のデータ処理装置（不図示）に送るＤＳＣＨ受信部１２を備えている。
また、本実施形態の移動パケット通信システム１００の移動局１０は、ＤＳＣＨ受信部１２が受信したユーザデータをＣＲＣチェックしてブロック誤り率やビット誤り率等の検出を行い、これらの結果をＤＳＣＨの品質情報として取得するＣＲＣ品質取得部（移動局側共有チャネル品質取得手段）１４を備えると共に、移動局１０からのユーザデータや、取得されたＤＳＣＨの品質情報を含む制御信号を、上りＡ−ＤＰＣＨチャネルを用いて基地局２０に送信する上りＡ−ＤＰＣＨ送信部（共有チャネル品質送信手段）１１を備えている。ここで上りＡ−ＤＰＣＨは、移動局１０毎に個別に割り当てられたチャネルである。
また、基地局２０は、上りＡ−ＤＰＣＨ送信部１１から送信されるユーザデータや制御信号を受信する上りＡ−ＤＰＣＨ受信部２３を備えている。
そして、本実施形態の移動パケット通信システム１００の無線制御装置３０は、基地局の上りＡ−ＤＰＣＨ受信部２３で受信されたＤＳＣＨの品質情報を取得するＤＳＣＨ品質取得部（制御側共有チャネル品質取得手段）３３と、取得されたＤＳＣＨの品質情報を移動局１０のＩＤと関連づけて記憶すると共に移動局１０のＩＤ毎にＤＳＣＨの送信電力のオフセット値を記憶する記憶装置（記憶手段）３４と、を備えている。
さらに、無線制御装置３０は、キューイング処理部３２からの指示により、ＤＳＣＨによって送信しようとするユーザデータに対応する移動局１０のＤＳＣＨの品質情報及びＤＳＣＨの送信電力のオフセット値を記憶装置３４から取得し、品質の劣化がある場合はオフセット値を所定のＴだけ増加させる一方、品質の劣化がない場合はオフセット値を所定のＳだけ減少させ、新しいオフセット値を移動局１０のＩＤに関連づけて記憶装置３４に記憶すると共に、新しいオフセット値を基地局２０のＤＳＣＨ送信部２１に送るオフセット計算部（第一オフセット値制御手段、共有チャネル送信電力制御手段）３５を備えている。なお、このＳとＴの値は、任意の値をとることができ、Ｓ＝Ｔとしてもよく、Ｓ≠Ｔとしてもよい。
次に、本実施形態の移動パケット通信システム１００の動作について説明するとともに、併せて、本発明の実施形態に係る無線制御方法の手順について説明する。なお、図２において、実線矢印はユーザデータの流れを示し、また破線矢印は制御信号の流れを示す。ここでは、簡単のため、ユーザデータが、基地局２０のＤＳＣＨ送信部２１から移動局１０のＤＳＣＨ受信部１２に送信された後から説明する。
移動局１０のＣＲＣ品質取得部１４は、ＤＳＣＨ受信部１２が受信したユーザデータのＣＲＣチェックを行い、ＤＳＣＨの品質情報としてブロック誤り率やビット誤り率等を取得する。そして、移動局１０の上りＡ−ＤＰＣＨ送信部１１は、このＤＳＣＨの品質情報を含む制御信号を上りＡ−ＤＰＣＨチャネル上で基地局２０の上りＡ−ＤＰＣＨ受信部２３に送信する。
次に、無線制御装置３０のＤＳＣＨ品質取得部３３は基地局２０の上りＡ−ＤＰＣＨ受信部２３からＤＳＣＨの品質情報を取得し、記憶装置３４はこのＤＳＣＨの品質情報を移動局１０のＩＤと関連づけて記憶する。
続いて、キューイング処理部３２が、次のユーザデータを基地局２０のＤＳＣＨ送信部２１に送信する。このとき、無線制御装置３０のオフセット計算部３５が、図３のフローチャートに示すような動作を行う。
すなわち、まず、オフセット計算部３５は、ステップ１０１（Ｓ１０１）において、キューイング処理部３２から当該送信先となる移動局１０のＩＤを取得する。
次に、オフセット計算部３５は、ステップ１０２（Ｓ１０２）において、記憶装置３４から、このＩＤに対応する移動局１０のＤＳＣＨの品質情報及び前回のユーザデータ送信時のオフセット値を取得する。
次に、オフセット計算部３５は、ステップ１０３（Ｓ１０３）において、ＤＳＣＨの品質情報に基づいてＤＳＣＨの通信品質が劣化しているか否かを判断し、ＤＳＣＨの通信品質が劣化している場合は、ステップ１０４（Ｓ１０４）に進み、オフセット値を所定のＴだけ上昇させる一方、通信品質が劣化していない場合は、ステップ１０５（Ｓ１０５）に進んで、オフセット値を所定のＳだけ低下させる。この通信品質の劣化の判断は、例えば、ＣＲＣチェックのブロック誤り率や、ビット誤り率が所定の値を超えるか否かによって行うことができる。
次に、オフセット計算部３５は、ステップ１０６において、新しいオフセット値を移動局１０のＩＤに関連づけて記憶装置３４に記憶させ、記憶装置３４の当該移動局１０のＤＳＣＨの品質情報をクリアさせると共に、新しいオフセット値を基地局２０のＤＳＣＨ送信部２１に送る。
なお、移動局１０からのＤＳＣＨの品質情報が遅延して無線制御装置３０に到達することが考えられるが、この場合、オフセット計算部３５は移動局１０のＤＳＣＨの品質情報が取得できず、ＤＳＣＨの通信品質が劣化しているか否かの判断ができない。このため、オフセット計算部３５は、品質情報が取得できない場合は、オフセット値の変更は行わない。
そして、ＤＳＣＨ送信部２１は、下りＡ−ＤＰＣＨ送信部２２が送信する下りＡ−ＤＰＣＨの送信電力にこのオフセット値を加算した値をＤＳＣＨの送信電力とし、この送信電力でユーザデータを移動局１０のＤＳＣＨ受信部１２に対して送信する。
続いて、本実施形態に係る移動パケット通信システム１００の作用及び効果について説明する。
本実施形態の移動パケット通信システム１００においては、無線制御装置３０のＤＳＣＨ品質取得部３３がＤＳＣＨの受信品質に関する情報を取得し、オフセット計算部３５が基地局２０のＤＳＣＨ送信部２１に対して、ＤＳＣＨの送信電力を、さらに、ＤＳＣＨの受信品質に関する情報に基づいて制御させるので、このＤＳＣＨの送信電力を、受信品質の劣化を抑制しつつ最適化することが可能とされる。
また、無線制御装置３０の記憶装置３４が、ＤＳＣＨ品質取得部３３が取得した共有チャネルの受信品質に関する情報を移動局１０に対応づけて記憶し、オフセット計算部３５が、基地局２０のＤＳＣＨ送信部２１を、記憶装置３４に記憶された共有チャネルの受信品質に関する情報に基づいて制御させており、このようにオフセット計算部３５が必要に応じてこのＤＳＣＨの受信品質に関する情報を読み出すことが可能とされるので、移動局１０毎のＤＳＣＨの送信電力の制御が好適になされる。
また、ＤＳＣＨ品質取得部３３は、移動局１０におけるＤＳＣＨの受信品質に関する情報として、ＤＳＣＨで受信したデータ信号のＣＲＣチェックの結果を取得しているので、ＤＳＣＨの送信電力の制御が好適になされる。
また、無線制御装置３０のオフセット計算部３５は、ＤＳＣＨの受信品質が予め定められた基準を満足しない場合にＤＳＣＨの送信電力のオフセット値を増加させ、ＤＳＣＨの受信品質が上記基準を満足する場合にはＤＳＣＨの送信電力のオフセット値を減少させ、基地局２０のＤＳＣＨ送信部２１は、ＤＳＣＨの送信電力を下りＡ−ＤＰＣＨの送信電力にオフセット値を加算した値となるように制御しているので、ＤＳＣＨの送信電力の制御が簡易かつ効率的になされる。
また、オフセット計算部３５は、ＤＳＣＨの受信品質に関する情報が取得できなかった場合に、ＤＳＣＨの受信品質に基づくＤＳＣＨの送信電力の増減を行わないので、ＤＳＣＨの受信品質に関する情報が取得できなかった場合に、ＤＳＣＨの送信電力の取得に必要なオフセット値が変動せずに維持され、ＤＳＣＨの送信電力の不要な変動が抑制されて、ＤＳＣＨによるデータ信号の送信が安定に行われる。
（第二実施形態）
続いて、第二実施形態に係る移動パケット通信システム２００について、図４を参照して説明する。
本実施形態の移動パケット通信システム２００が第一実施形態と違う点は、移動局１０が、ＣＲＣ品質取得部１４に代えて、ＤＳＣＨ受信部１２が受信するＤＳＣＨのＳＩＲ（信号電力対干渉電力比）をＤＳＣＨの受信品質として取得するＤＳＣＨ−ＳＩＲ取得部（移動局側共有チャネル品質取得手段）１５を備える点である。
このような第二実施形態の移動パケット通信システムにおいては、ＤＳＣＨ−ＳＩＲ取得部１５が取得したＤＳＣＨのＳＩＲが上りＡ−ＤＰＣＨ送信部１１、上りＡ−ＤＰＣＨ受信部２３及びＤＳＣＨ品質取得部３３を介して記憶装置３４に記憶される。そして、図５に示すように、オフセット計算部３５は、ステップ１０７（Ｓ１０７）において、記憶装置３４から、ＩＤに対応する移動局１０の、前回のユーザデータ送信時のオフセット値及びＤＳＣＨの品質情報としてのＤＳＣＨのＳＩＲを取得し、ステップ１０８（Ｓ１０８）において、取得されたＳＩＲと、あらかじめ設定されたＳＩＲの基準値とを比較し、取得されたＳＩＲがＳＩＲの基準値よりも小さいとき、すなわち、通信品質が劣化している場合は、ステップ１０４に進んで、オフセット値を所定のＴだけ上昇させる一方、ユーザデータのＳＩＲがＳＩＲの基準値以上であるとき、すなわち、通信品質が劣化していない場合は、ステップ１０５でに進んでオフセット値を所定のＳだけ下げる。
本実施形態においては、移動局１０におけるＤＳＣＨの受信品質に関する情報として、ＤＳＣＨのＳＩＲに関する情報を取得しているので、第一実施形態と同様に、ＤＳＣＨの送信電力の制御が好適になされる。
（第三実施形態）
つぎに、第三実施形態に係る移動パケット通信システム３００について、図６を参照して説明する。
本実施形態の移動パケット通信システム３００と第一実施形態との第一相違点は、移動局１０が、ＣＲＣ品質取得部１４に代えて、ＤＳＣＨ受信部１２が受信したユーザデータのデータ誤りをチェックし、データに誤りがある場合には再送を要求する否定応答信号（以下、ＮＡＫ）を生成する一方、データが誤りなく受信された場合には再送不要であることを示す肯定応答信号（以下、ＡＣＫ）を生成することにより、ユーザデータ再送制御用のＡＲＱ制御信号を生成するＡＲＱ生成部（移動局側共有チャネル品質取得手段）１６を備えている点である。
また、第二の相違点は、無線制御装置３０が、ＤＳＣＨ品質取得部３３に代えて、基地局２０の上りＡ−ＤＰＣＨ受信部２３から、ＤＳＣＨの受信品質に関する情報としてのＡＲＱ制御信号を取得し、ＡＣＫを取得した場合にはユーザデータバッファ３１に対して当該移動局１０に送ったユーザデータを削除するように指示し、ＮＡＫを取得した場合にはユーザデータバッファ３１に対して同じユーザデータの再送を行なわせると共に、このＡＲＱ制御信号の種類及び同じ種類のＡＲＱ制御信号が繰返された回数を記憶装置３４に移動局１０のＩＤに対応づけて記憶させるＡＲＱ制御部（制御側共有チャネル品質取得手段）３７を備えている点である。
このような移動パケット通信システム３００においては、ＡＲＱ生成部１６は、ＤＳＣＨ受信部１２が受信したユーザデータに基づくＡＣＫ又はＮＡＫのＡＲＱ制御信号を生成し、このＡＲＱ制御信号を上りＡ−ＤＰＣＨ送信部１１が上りＡ−ＤＰＣＨ受信部２３を介してＡＲＱ制御部３７に送信し、ＡＲＱ制御部３７がユーザデータバッファ３１に対してのデータ再送の制御と記憶装置３４への記憶とを行う。そして、オフセット計算部３５は、図７のフローチャートに示すように、まず、ステップ１１０（Ｓ１１０）において、ＩＤに対応する移動局１０の、ＤＳＣＨのユーザデータに係るＡＲＱ制御信号の種類、同じ応答の繰返回数及び前回のユーザデータ送信時のオフセット値、を記憶装置３４から取得する。
そして、オフセット計算部３５は、ステップ１１１（Ｓ１１１）において、ＡＲＱ制御信号がＡＣＫかＮＡＫかを判断し、ＡＲＱ制御信号がＡＣＫの場合は、ステップ１１２（Ｓ１１２）に進んで、ＡＣＫの繰返回数に基づく判定を行い、繰返回数がＮ回以上であれば、ステップ１０４に進みオフセット値をＴだけ減少させ、さらに、ステップ１０６で、新しいオフセット値を移動局１０のＩＤに関連づけて記憶装置３４に記憶させ、記憶装置３４の当該移動局１０のユーザーデータの品質情報をクリアさせると共に、新しいオフセット値を基地局２０のＤＳＣＨ送信部２１に送る。また、繰り返し回数がＮ回未満であれば、オフセットの値を変更しないでオフセット計算部３５の処理を終了する。
一方、ＡＲＱ制御信号がＮＡＫの場合は、ステップ１１３（Ｓ１１３）に進んで、ＮＡＫの繰返回数に基づく判定を行い、繰返回数がＭ回以上であれば、ステップ１０５に進み、オフセット値をＳだけ減少させ、さらに、ステップ１０６で、新しいオフセット値を移動局１０のＩＤに関連づけて記憶装置３４に記憶させ、記憶装置３４の当該移動局１０のユーザーデータの品質情報をクリアさせると共に、新しいオフセット値を基地局２０のＤＳＣＨ送信部２１に送る。また、繰返回数がＭ回未満であれば、オフセットの値を変更しないで終了する。なお、このＭとＮの値は、任意の値をとることができ、Ｍ＝Ｎとしてもよく、Ｍ≠Ｎとしてもよい。
このように、ＡＲＱの制御信号に基づいて、ＤＳＣＨの受信品質を取得することによっても、第一実施形態と同様に、ＤＳＣＨの送信電力の制御が好適になされる。
（第四実施形態）
次に、第四実施形態に係る移動パケット通信システム４００について、図８を参照して説明する。
本実施形態の移動パケット通信システム４００が第一実施形態と違う点は、移動局１０が、下りＡ−ＤＰＣＨのＳＩＲと下りＡ−ＤＰＣＨの目標ＳＩＲ値との差に基づいて基地局２０に対して下りＡ−ＤＰＣＨの送信電力の制御コマンド（以下、ＴＰＣ制御コマンド）を生成するＴＰＣ装置７０と、このＴＰＣ制御における下りＡ−ＤＰＣＨの目標ＳＩＲ値を下りＡ−ＤＰＣＨの受信データの品質に基づいて制御する、いわゆる、アウターループ制御装置８０と、から構成される下りＡ−ＤＰＣＨ送信電力制御コマンド生成部（個別チャネル送信電力制御信号生成手段）９０を備えている点と、無線制御装置３０が、アウターループ制御装置８０によって制御される下りＡ−ＤＰＣＨの目標ＳＩＲを取得しその変化量を移動局１０のＩＤに関連づけて記憶装置３４に記憶させる下りＡ−ＤＰＣＨ目標ＳＩＲ取得部（信号電力対干渉電力比目標値取得手段）３８を備えている点である。
ここで、ＴＰＣ装置７０は、下りＡ−ＤＰＣＨ受信部１３が受信した下りＡ−ＤＰＣＨのＳＩＲを取得する下りＡ−ＤＰＣＨ−ＳＩＲ取得部７１と、取得された下りＡ−ＤＰＣＨのＳＩＲと下りＡ−ＤＰＣＨの目標ＳＩＲとを比較する下りＡ−ＤＰＣＨ−ＳＩＲ比較部７２と、比較結果に基づいて下りＡ−ＤＰＣＨの送信電力の増減を指令する制御コマンドを生成し、上りＡ−ＤＰＣＨ送信部１１へ送るＴＰＣコマンド生成部７３と、を備えている。
また、アウターループ制御装置８０は、下りＡ−ＤＰＣＨ受信部１３によって受信した下りＡ−ＤＰＣＨの制御データの品質として、フレーム誤り率等を取得する下りＡ−ＤＰＣＨ品質取得部８１と、取得された下りＡ−ＤＰＣＨの制御データの品質に基づいて下りＡ−ＤＰＣＨ−ＳＩＲ比較部７２の下りＡ−ＤＰＣＨ目標ＳＩＲの増減を行うと共にこの下りＡ−ＤＰＣＨ目標ＳＩＲを上りＡ−ＤＰＣＨ送信部１１に送る下りＡ−ＤＰＣＨ目標ＳＩＲ計算部８２と、を備えている。
そして、このような移動パケット通信システム４００においては、移動局１０の下りＡ−ＤＰＣＨ受信部１３が、基地局２０の下りＡ−ＤＰＣＨ送信部２２から所定の送信電力で送信された下りＡ−ＤＰＣＨを受信し、ＴＰＣ装置７０及びアウターループ制御装置８０が、下りＡ−ＤＰＣＨのＳＩＲや下りＡ−ＤＰＣＨの制御データの品質に基づいて下りＡ−ＤＰＣＨの送信電力の増減のためのＴＰＣコマンドを生成し、上りＡ−ＤＰＣＨ送信部１１がこのＴＰＣコマンドを基地局２０の上りＡ−ＤＰＣＨ受信部２３に送信し、下りＡ−ＤＰＣＨ送信部２２がこのＴＰＣコマンドに基づいて下りＡ−ＤＰＣＨの送信電力を制御するので、この下りＡ−ＤＰＣＨの送信電力が最適値に制御される。
また、上りＡ−ＤＰＣＨ送信部１１は、下りＡ−ＤＰＣＨ目標ＳＩＲ計算部８２が取得した下りＡ−ＤＰＣＨ目標ＳＩＲを、上りＡ−ＤＰＣＨ受信部２３に送信し、下りＡ−ＤＰＣＨ目標ＳＩＲ取得部３８はこの下りＡ−ＤＰＣＨ目標ＳＩＲを取得し、記憶装置３４にＤＳＣＨの品質情報に加えて下りＡ−ＤＰＣＨ目標ＳＩＲを移動局１０のＩＤと対応づけて記憶させる。
そして、オフセット計算部３５は、第二オフセット値制御手段として、図９のフローチャートに示すように、まず、ステップ１１５（Ｓ１１５）において、記憶装置３４から、ＩＤに対応する移動局１０の、ＤＳＣＨの品質情報、目標ＳＩＲの変化量Ｄ及び前回送信時のオフセット値を取得し、ステップ１０３において、品質が劣化しているかどうかを判断する。
そして、品質が劣化している場合は、ステップ１０４に進んで、オフセット値をＴだけ上昇させる一方、品質が劣化していなければ、ステップ１０５に進んで、オフセット値をＳだけ低下させる。
つぎに、ステップ１２０（Ｓ１２０）において、さらに、オフセット値から目標ＳＩＲの変化量Ｄを減算し、新しいオフセット値とする。ここで、ＳとＴは常に正の値であってＳ＝ＴでもＳ≠Ｔでもよく、また、Ｄは正もしくは負の値である。すなわち、Ｄ＞０ならばオフセット値は減少し、Ｄ＜０ならばオフセット値は増加することとなる。
このような移動パケット通信システム４００においては、ＴＰＣ装置７０と、アウターループ制御装置８０とによって、基地局２０から移動局１０への下りＡ−ＤＰＣＨの送信電力の最適化がなされるが、このアウターループ制御において、下りＡ−ＤＰＣＨの目標ＳＩＲが変更されるとこれに伴って下りＡ−ＤＰＣＨの送信電力が急激に変化する場合がある。すると、ＤＳＣＨの送信電力の制御において、この下りＡ−ＤＰＣＨの送信電力の変化に基づくＤＳＣＨの送信電力の変化と、ＤＳＣＨの受信品質に関する情報に基づくＤＳＣＨの送信電力の変化とが重なって、ＤＳＣＨの送信電力において急激な変動が起こるおそれがある。
ところが本実施形態の移動パケット通信システム４００によれば、無線制御装置３０によって、下りＡ−ＤＰＣＨのＳＩＲの目標値に関する情報が取得され、ＤＳＣＨの送信電力が、さらに、このＳＩＲの目標値に関する情報に基づいて制御され、下りＡ−ＤＰＣＨのＳＩＲの目標値の変化による下りＡ−ＤＰＣＨの送信電力の変化を考慮に入れて、ＤＳＣＨの送信電力の増減幅を調節することが可能とされるので、より好適に、ＤＳＣＨの送信電力の最適化が可能とされる。
また、ＤＳＣＨの受信品質に関する情報に基づいてオフセット値の増減を行い、ＤＳＣＨの送信電力を、下りＡ−ＤＰＣＨの送信電力にオフセット値を加算した値として制御することにより、ＤＳＣＨの送信電力の制御が簡易かつ効率的になされる。そして、下りＡ−ＤＰＣＨ目標ＳＩＲが増加／減少した場合、オフセット値からこの下りＡ−ＤＰＣＨ目標ＳＩＲの増加／減少に関する量が減算されるので、この下りＡ−ＤＰＣＨ目標ＳＩＲの増加／減少に伴って変化する下りＡ−ＤＰＣＨの送信電力の増加／減少分をあらかじめオフセットの変化量から差し引くことができ、ＤＳＣＨの送信電力における急激な変動が抑制される。
（第五実施形態）
図１０は、第五実施形態の移動パケット通信システム５００の主な構成を示している。本実施形態に係る移動パケット通信システム５００においては、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用したＩＭＴ−２０００パケット通信方式を採用している。このＨＳＤＰＡでは、データ信号の伝送レートや符号化方式の適応的制御や、ハイブリッドＡＲＱ、即ち再送制御と誤り符号とを組み合わせた伝送方式等が用いられ、さらに、各基地局（ＢＴＳ，Ｂａｓｅ  Ｔｒａｎｓｃｅｉｖｅｒ  Ｓｔａｔｉｏｎ）内でユーザデータパケットの送信スケジューリングがなされ高速スケジューリングが可能となっている。このＨＳＤＰＡについては、例えば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）による技術仕様書（Ｔｅｃｈｎｉｃａｌ  Ｓｐｅｃｉｆｉｃａｔｉｏｎ）の、“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）（Ｒｅｌｅａｓｅ  ５）”３ＧＰＰ  ＴＳ  ２５．２１１  Ｖ５．１．０（２００２−０６）、”Ｍｕｌｔｉｐｌｅｘｉｎｇ  ａｎｄ  ｃｈａｎｎｅｌ  ｃｏｄｉｎｇ（ＦＤＤ）（Ｒｅｌｅａｓｅ  ５）”３ＧＰＰ  ＴＳ  ２５．２１２  Ｖ５．１．０（２００２−０６）、”Ｓｐｒｅａｄｉｎｇ  ａｎｄ  ｍｏｄｕｌａｔｉｏｎ（ＦＤＤ）（Ｒｅｌｅａｓｅ  ５）”３ＧＰＰ  ＴＳ  ２５．２１３  Ｖ５．１．０（２００２−０６）、”Ｐｈｙｓｉｃａｌ  ｌａｙｅｒ  ｐｒｏｃｅｄｕｒｅｓ（ＦＤＤ）（Ｒｅｌｅａｓｅ  ５）”３ＧＰＰ  ＴＳ  ２５．２１４  Ｖ５．１．０（２００２−０６）、”Ｐｈｙｓｉｃａｌ  ｌａｙｅｒ−Ｍｅａｓｕｒｅｍｅｎｔｓ（ＦＤＤ）（Ｒｅｌｅａｓｅ  ５）”３ＧＰＰ  ＴＳ  ２５．２１５  Ｖ５．０．０（２００２−０３）、さらに、同プロジェクトの技術レポート（Ｔｅｃｈｎｉｃａｌ  Ｒｅｐｏｒｔ）”Ｐｈｙｓｉｃａｌ  ｌａｙｅｒ  ａｓｐｅｃｔｓ  ｏｆ  ＵＴＲＡ  Ｈｉｇｈ  Ｓｐｅｅｄ  Ｄｏｗｎｌｉｎｋ  Ｐａｃｋｅｔ  Ａｃｃｅｓｓ（Ｒｅｌｅａｓｅ  ４）３ＧＰＰ  ＴＲ  ２５．８４８  Ｖ４．０．０（２００１−０３）等（ｈｔｔｐ：／／ｗｗｗ．３ｇｐｐ．ｏｒｇ／ｆｔｐ／Ｓｐｅｃｓ／ｌａｔｅｓｔ／Ｒｅｌ−５／２５＿ｓｅｒｉｅｓ／２５２１１−５１０．ｚｉｐ／，２５２１２−５１０．ｚｉｐ，２５２１３−５１０．ｚｉｐ，２５２１４−５１０．ｚｉｐ，２５２１５−５００．ｚｉｐ，ｈｔｔｐ：／／ｗｗｗ．３ｇｐｐ．ｏｒｇ／ｆｔｐ／Ｓｐｅｃｓ／ｌａｔｅｓｔ／Ｒｅｌ−４／２５＿ｓｅｒｉｅｓ／２５８４８−４００．ｚｉｐ／等参照）に詳しく記載されている。
以下、移動パケット通信システム５００について詳説する。図１０に示す様に、移動パケット通信システム５００は、移動局へのユーザデータ信号のパケット通信が可能なシステムであって、ユーザが携帯使用すると共に所定の通信エリア内にある移動局１０ａ，１０ｂ，１０ｃ、これら移動局１０ａ〜１０ｃと直接に無線交信を行うことが可能な複数の基地局２０と、基地局２０内に各々設けられ基地局２０と移動局１０ａ〜１０ｃとの間におけるパケット通信を各々統括的に制御可能な無線制御装置３０と、外部のネットワークとの中継点として機能する交換装置４０と、交換装置４０と複数の基地局２０との間で信号の中継を行う無線ネットワーク制御装置３６と、を有し、交換装置４０から移動局１０ａ〜１０ｃまで双方向に通信可能に構成されている。
この移動パケット通信システム５００においては、基地局２０から移動局１０ａ〜１０ｃへの信号の送信に３種類のチャネルを使用する。一つは、移動局１０ａ〜１０ｃ間で互いに時間的に重ならないように、すなわち、時分割で共有されてユーザデータのパケット送信に用いられ、所要の送信電力が大きく高速性が要求されるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｅｌ）である。もう一つは、移動局１０ａ〜１０ｃ間で互いに時間的に重ならないように時分割で共有され特定の移動局へのＨＳ−ＰＤＳＣＨによるデータ転送が開始される旨の予告制御信号（第二信号）を送信するための送信電力が比較的小さいＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）（共有チャネル）である。最後の一つは、第一実施形態の移動パケット通信システム１００と同様に移動局１０ａ〜１０ｃ毎に設定され、移動局１０ａ〜１０ｃに各々上りＡ−ＤＰＣＨの電力制御コマンド（第一信号）を送信すると共に移動局１０ａ〜１０ｃからの電力制御コマンドによって各々の送信電力が閉ループで各々制御される下りＡ−ＤＰＣＨ（Ａｓｓｏｃｉａｔｅｄ  Ｄｅｄｉｃａｔｅｄ  Ｐｈｙｓｉｃａｌ  ＣＨａｎｎｅｌ）（個別チャネル）である。
一方、移動局１０ａ〜１０ｃから基地局２０への上り回線においては、移動局１０ａ〜１０ｃ毎に設定される上りＡ−ＤＰＣＨに多重して下りＡ−ＤＰＣＨの電力制御コマンドやデータ信号等の伝送を行う。
以下、図１１を参照して基地局２０の内部構成について詳説する。基地局２０は、無線制御装置３０と、ＨＳ−ＰＤＳＣＨ送信部１３０と、ＨＳ−ＳＣＣＨ送信部（共有チャネル送信手段）１２１と、下りＡ−ＤＰＣＨ送信部（個別チャネル送信手段）２２と、上りＡ−ＤＰＣＨ受信部２３と、ＴＰＣ装置１３５と、を有している。
上りＡ−ＤＰＣＨ受信部２３は、移動局１０ａ〜１０ｃの上りＡ−ＤＰＣＨ送信部１１から上りＡ−ＤＰＣＨで各々送信される、下りＡ−ＤＰＣＨの電力制御コマンド等の制御信号やユーザデータを受信する。
ＴＰＣ装置１３５は、上りＡ−ＤＰＣＨ受信部が受信した各々の移動局１０ａ〜１０ｃからの下りＡ−ＤＰＣＨの電力制御コマンドに基づいて、各々の移動局１０ａ〜１０ｃに対する下りＡ−ＤＰＣＨの送信電力を制御する。また、ＴＰＣ装置１３５は、上りＡ−ＤＰＣＨ受信部２３が受信した移動局１０ａ〜１０ｃからの上りＡ−ＤＰＣＨの受信品質を所定の目標値と比較し、各々の移動局１０ａ〜１０ｃに対する上りＡ−ＤＰＣＨの電力制御コマンドを生成する。
下りＡ−ＤＰＣＨ送信部（個別チャネル送信手段）２２は、移動局１０ａ〜１０ｃに対して、ＴＰＣ装置１３５で各々生成される移動局１０ａ〜１０ｃに対する上りＡ−ＤＰＣＨの電力制御コマンドを、各々の移動局１０ａ〜１０ｃに対して設定される下りＡ−ＤＰＣＨ（個別チャネル）によって各々所定の送信電力で送信する。この所定の送信電力は、ＴＰＣ装置１３５によって制御される。
ＨＳ−ＰＤＳＣＨ送信部１３０は、無線制御装置３０から送られるユーザデータを受け、ユーザデータの宛先とされた特定の移動局に対してこのユーザデータをＨＳ−ＰＤＳＣＨによって送信する。このＨＳ−ＰＤＳＣＨ送信部１３０は、ＨＳ−ＰＤＳＣＨの送信電力を、所定の固定値として制御する。
ＨＳ−ＳＣＣＨ送信部（共有チャネル送信手段）１２１は、無線制御装置３０からの指示に基づいて（詳しくは後述）、ＨＳ−ＰＤＳＣＨによるユーザデータの送信がなされる前に、ＨＳ−ＰＤＳＣＨによるユーザデータの送信先となる特定の移動局のＩＤ、そのデータ数、伝送速度等を含む予告制御信号（第二信号）をその特定の移動局に対してＨＳ−ＳＣＣＨ（共有チャネル）によって送信する。このＨＳ−ＳＣＣＨ送信部１２１は、ＨＳ−ＳＣＣＨの送信電力を、当該予告制御信号においてＨＳ−ＰＤＳＣＨによるデータの送信先とされた特定の移動局に対する下りＡ−ＤＰＣＨの送信電力に、この特定の移動局に対して設定された所定のオフセット値を加算した値として制御する（詳しくは後述）。
一方、移動局１０ａ〜１０ｃは、下りＡ−ＰＤＣＨ受信部１３、ＴＰＣ装置１４５、上りＡ−ＤＰＣＨ送信部１１、ＨＳ−ＰＤＳＣＨ受信部１４０、ＨＳ−ＳＣＣＨ受信部１１２、ＣＲＣ品質取得部１１４を各々備えている。
下りＡ−ＤＰＣＨ受信部１３は、基地局２０の下りＡ−ＤＰＣＨ送信部２２から送信された上りＡ−ＤＰＣＨの電力制御コマンド（第一信号）を上りＡ−ＤＰＣＨで受信する。
ＴＰＣ装置１４５は、下りＡ−ＤＰＣＨ受信部１３が受信した上りＡ−ＤＰＣＨの電力制御コマンドに基づいて、上りＡ−ＤＰＣＨ送信部１１が送信する上りＡ−ＤＰＣＨの送信電力を制御する。また、ＴＰＣ装置１４５は、下りＡ−ＤＰＣＨ受信部１３が受信した下りＡ−ＤＰＣＨの受信品質に基づいて、下りＡ−ＤＰＣＨの電力制御コマンドを生成する。ここでは、たとえば、下りＡ−ＤＰＣＨのＳＩＲと下りＡ−ＤＰＣＨの目標ＳＩＲ値との差に基づいて電力制御コマンドを生成できる。
ＨＳ−ＳＣＣＨ受信部１１２は、基地局２０のＨＳ−ＳＣＣＨ送信部１２１から送信される、ＨＳ−ＰＤＳＣＨを用いたユーザデータ送信の予告制御信号を受信する。ＨＳ−ＰＤＳＣＨのチャネルは複数のユーザで共有されているため、各移動局１０ａ〜１０ｃは常時このＨＳ−ＳＣＣＨをモニタする。
ＨＳ−ＰＤＳＣＨ受信部１４０は、このＨＳ−ＳＣＣＨ受信部１１２が受信した予告制御信号においてその移動局１０ａ等がＨＳ−ＰＤＳＣＨの送信先とされた場合に、基地局２０のＨＳ−ＰＤＳＣＨ送信部１３０から送信されるユーザデータをＨＳ−ＰＤＳＣＨによって受信すると共に、受信されたユーザデータを、パソコン等のデータ処理装置（不図示）に送る。
ＣＲＣ品質取得部（移動局側共有チャネル品質取得手段）１１４は、ＨＳ−ＳＣＣＨ受信部１１２が受信した予告制御信号をＣＲＣチェックしてブロック誤り率やビット誤り率等の検出を行い、これらの結果をＨＳ−ＳＣＣＨの品質情報として取得する。ここで、このような品質情報の取得は、予告制御信号においてその移動局１０ａ等が、ユーザデータの送信先とされた場合にのみ行われる。
上りＡ−ＤＰＣＨ送信部（共有チャネル品質送信手段）１１は、ＣＲＣ品質取得部１１４からのＨＳ−ＳＣＣＨの品質情報や、ＴＰＣ装置１４５からの下りＡ−ＤＰＣＨの電力制御コマンドや、上りのユーザデータ等を含む信号を、上りＡ−ＤＰＣＨチャネルを用いて基地局２０の上りＡ−ＤＰＣＨ受信部２３に送信する。
基地局２０の無線制御装置３０は、ユーザデータバッファ３１、キューイング処理部３２、記憶装置３４、オフセット計算部３５、記憶装置３４、ＨＳ−ＳＣＣＨ品質取得部１３３により構成され、各部はバスにより接続されている。
ユーザデータバッファ３１は、幹線網側から無線ネットワーク制御装置３６を介して到達する、移動局１０ａ〜１０ｃ宛てのユーザデータを一時的に記憶する。
キューイング処理部３２は、ユーザデータの送出順序を制御しつつユーザデータバッファ３１のユーザデータをＨＳ−ＰＤＳＣＨ送信部１３０に逐次送信し、当該ユーザデータの宛先となる特定の移動局、すなわち、移動局１０ａ〜１０ｃの何れか、に対してユーザデータを送信させる。また、キューイング処理部３２は、ＨＳ−ＳＣＣＨ送信部１２１に対して指示を出し、移動局１０ａ〜１０ｃに向けて上述の予告制御信号を送信させる。この予告制御信号の送信は、ユーザデータの送信に先立って行われる。さらに、キューイング処理部３２は、オフセット計算部３５に対して指示を出し、ＨＳ−ＳＣＣＨ送信部１２１での予告制御信号の送信電力のオフセット値を取得させる（詳しくは後述）。
ＨＳ−ＳＣＣＨ品質取得部（制御側共有チャネル品質取得手段）１３３は、上りＡ−ＤＰＣＨ受信部２３で受信された信号からＨＳ−ＳＣＣＨの品質情報を取得する。
記憶装置（記憶手段）３４は、取得されたＨＳ−ＳＣＣＨの品質情報を当該品質情報に対応する移動局のＩＤと関連づけて記憶する。また、記憶装置３４は、移動局１０ａ〜１０ｃのＩＤ毎に、ＨＳ−ＳＣＣＨの送信電力のオフセット値を各々記憶している。
オフセット計算部（第一オフセット値制御手段、共有チャネル送信電力制御手段）３５は、キューイング処理部３２からの指示により、ＨＳ−ＰＤＳＣＨの送信先の特定の移動局に対応するＨＳ−ＳＣＣＨの品質情報及び当該送信先である特定の移動局に対応するＨＳ−ＳＣＣＨの送信電力のオフセット値を記憶装置３４から取得する。そして、オフセット計算部３５は、品質の劣化がある場合はオフセット値を所定のＴだけ増加させる一方、品質の劣化がない場合はオフセット値を所定のＳだけ減少させ、新しいオフセット値を当該移動局１０ａの新たなオフセット値として記憶装置３４に記憶させると共に、新しいオフセット値をＨＳ−ＳＣＣＨ送信部１２１に送る。なお、このＳとＴの値は、任意の値をとることができ、Ｓ＝Ｔとしてもよく、Ｓ≠Ｔとしてもよい。
次に、本実施形態の移動パケット通信システム５００の動作について説明すると共に、併せて、本発明の実施形態に係る無線制御方法の手順について説明する。なお、図１１において、実線矢印はユーザデータの流れを示し、また破線矢印は種々の制御信号の流れを示す。ここでは、移動局１０ａ宛のユーザデータが、無線ネットワーク制御装置３６からユーザデータバッファ３１に送信されて蓄積されている状態から説明する。また、記憶装置３４には、過去に各々の移動局１０ａ〜１０ｃがユーザデータ送信先とされてＨＳ−ＳＣＣＨが送信された際の移動局１０ａ〜１０ｃでのＨＳ−ＳＣＣＨの受信品質に関する情報と、そのＨＳ−ＳＣＣＨが送信された際に用いられたオフセット値が、各々の移動局１０ａ〜１０ｃのユーザＩＤ毎に各々記憶されている。
まず、基地局２０のキューイング処理部３２は、ステップ２００（Ｓ２００）において、ユーザデータバッファ３１に蓄積されたユーザデータから次に送信すべきユーザデータを決定する。
次に、基地局２０のオフセット計算部３５は、ステップ２０１（Ｓ２０１）において、キューイング処理部３２から当該ユーザデータの送信先となる移動局のユーザＩＤを取得する。ここでは、便宜上移動局１０ａが送信先であるものととする。
次に、オフセット計算部３５は、ステップ２０２（Ｓ２０２）において、記憶装置３４から、当該ユーザＩＤを参照してユーザデータの送信先となる移動局１０ａのＨＳ−ＳＣＣＨの品質情報及び当該移動局１０ａに対して設定されたオフセット値を取得する。
次に、オフセット計算部３５は、ステップ２０３（Ｓ２０３）において、ＨＳ−ＳＣＣＨの品質情報に基づいて当該移動局１０ａとの間でのＨＳ−ＳＣＣＨの通信品質が劣化しているか否かを判断し、ＨＳ−ＳＣＣＨの通信品質が劣化している場合は、ステップ２０４（Ｓ２０４）に進み、当該移動局１０ａに対応するオフセット値を所定のＴだけ上昇させる一方、通信品質が劣化していない場合は、ステップ２０５（Ｓ２０５）に進んで、オフセット値を所定のＳだけ低下させる。この通信品質の劣化の判断は、例えば、ＣＲＣチェックのブロック誤り率や、ビット誤り率が所定の値を超えるか否かによって行うことができる。
次に、オフセット計算部３５は、ステップ２０６（Ｓ２０６）において、新しいオフセット値を移動局１０ａのユーザＩＤに関連づけて記憶装置３４に記憶させ、記憶装置３４の当該移動局１０ａのＨＳ−ＳＣＣＨの品質情報をクリアさせると共に、新しいオフセット値をＨＳ−ＳＣＣＨ送信部１２１に送る。
なお、移動局１０ａからのＨＳ−ＳＣＣＨの品質情報が遅延して無線制御装置３０に到達したり、移動局１０ａへのＨＳ−ＳＣＣＨの送信が一度もなされておらず記憶装置３４に当該移動局１０ａのＨＳ−ＳＣＣＨの品質情報が格納されていないことが考えられるが、この場合、オフセット計算部３５は移動局１０ａのＨＳ−ＳＣＣＨの品質情報が取得できず、当該移動局との間でＨＳ−ＳＣＣＨの通信品質が劣化しているか否かの判断ができない。このため、オフセット計算部３５は、品質情報が取得できない場合は、オフセット値の変更は行わない。
そして、ＨＳ−ＳＣＣＨ送信部１２１は、下りＡ−ＤＰＣＨ送信部２２が当該移動局１０ａに送信する下りＡ−ＤＰＣＨの送信電力にこのオフセット値を加算した値をＨＳ−ＳＣＣＨの送信電力とし、この送信電力で移動局１０ａに対して、ＨＳ−ＰＤＳＣＨによるデータ送信が移動局１０ａに対してなされる旨の予告制御信号を送信する（ステップ２２１（Ｓ２２１））。
そして、移動局１０ａでは、ＨＳ−ＳＣＣＨ受信部１１２がこの予告制御信号を受信する。そして、移動局１０ａのＣＲＣ品質取得部１１４は、ＨＳ−ＳＣＣＨ受信部１１２が受信したユーザデータのＣＲＣチェックを行い、ＨＳ−ＳＣＣＨの品質情報としてブロック誤り率やビット誤り率等を各々取得する。そして、移動局１０ａの上りＡ−ＤＰＣＨ送信部１１は、このＨＳ−ＳＣＣＨの品質情報を上りＡ−ＤＰＣＨチャネルで基地局２０の上りＡ−ＤＰＣＨ受信部２３に送信する。
基地局２０のＨＳ−ＳＣＣＨ品質取得部１３３は、上りＡ−ＤＰＣＨ受信部２３を介してＨＳ−ＳＣＣＨの品質情報を取得し、記憶装置３４はこのＨＳ−ＳＣＣＨの品質情報を移動局１０ａのユーザＩＤと関連づけて各々記憶する（ステップ２２３（Ｓ２２３））。
次に、キューイング処理部３２は移動局１０ａ宛のユーザデータをＨＳ−ＰＤＳＣＨ送信部１３０に送信し、ＨＳ−ＰＤＳＣＨ送信部１３０は、このユーザデータをＨＳ−ＰＤＳＣＨを用いて移動局１０ａに送信する（ステップ２２５（Ｓ２２５））。
これに応じて、移動局１０ａでは、ＨＳ−ＰＤＳＣＨによる基地局２０からのユーザデータを受信する。
そして、このようなフローがユーザデータバッファ３１のデータを送信する毎に繰り返される。
なお、このようなフローと平行して、基地局２０のＴＰＣ装置１３５は、上りＡ−ＤＰＣＨ受信部２３が受信した各々の移動局１０ａ〜１０ｃからの上りＡ−ＤＰＣＨに基づいて上りＡ−ＤＰＣＨの電力制御コマンドを各々生成し、下りＡ−ＤＰＣＨ送信部２２は、この上りＡ−ＤＰＣＨの電力制御コマンドを対応する移動局１０ａ〜１０ｃに下りＡ−ＤＰＣＨで各々送信する。また、各々の移動局１０ａ〜１０ｃのＴＰＣ装置１４５は、下りＡ−ＤＰＣＨ受信部１３が受信した下りＡ−ＤＰＣＨに基づいて下りＡ−ＤＰＣＨの電力制御コマンドを各々生成し、上りＡ−ＤＰＣＨ送信部１１は、この下りＡ−ＤＰＣＨの電力制御コマンドを基地局２０の上りＡ−ＤＰＣＨ受信部２３に各々送信する。そして、下りＡ−ＤＰＣＨ送信部２２の送信電力や上りＡ−ＤＰＣＨ送信部１１の送信電力は各々電力制御コマンドによって制御され、上り、下りＡ−ＤＰＣＨの送信電力は、基地局２０と、移動局１０ａ〜１０ｃとの回線状態に応じて常に最適値に制御されることとなる。
続いて、本実施形態に係る移動パケット通信システム５００の作用及び効果について説明する。
本実施形態の移動パケット通信システム５００においては、基地局２０における無線制御装置３０のＨＳ−ＳＣＣＨ品質取得部１３３がＨＳ−ＳＣＣＨの受信品質に関する情報を取得し、オフセット計算部３５がＨＳ−ＳＣＣＨ送信部１２１に対して、ＨＳ−ＳＣＣＨの送信電力を、下りＡ−ＤＰＣＨの送信電力に加えて、ＨＳ−ＳＣＣＨの受信品質に関する情報に基づいて制御させている。
すなわち、移動局１０ａに対するＨＳ−ＳＣＣＨの送信電力が、移動局１０ａに対する下りＡ−ＤＰＣＨの送信電力に加えて、当該移動局１０ａでのＨＳ−ＳＣＣＨの受信品質に基づいて制御されている。
このため、従来のように、ＨＳ−ＳＣＣＨの送信電力が下りＡ−ＤＰＣＨの送信電力にのみ基づいて制御される場合に比して、ＨＳ−ＳＣＣＨの送信電力をＨＳ−ＳＣＣＨの回線状態に応じてきめ細かく制御することが可能となっており、このＨＳ−ＳＣＣＨの送信電力を、受信品質の劣化を抑制しつつ最適化することが可能とされている。
また、無線制御装置３０の記憶装置３４は、ＨＳ−ＳＣＣＨ品質取得部１３３が取得したＨＳ−ＳＣＣＨの受信品質に関する情報を当該ＨＳ−ＳＣＣＨの送信先の移動局１０ａ〜１０ｃに対応づけて記憶すると共に、オフセット計算部３５がＨＳ−ＳＣＣＨ送信部１２１を、記憶装置３４に記憶されたＨＳ−ＳＣＣＨの受信品質に関する情報に基づいて制御している。このため、オフセット計算部３５が必要に応じて各々の移動局１０ａ〜１０ｃにおけるＨＳ−ＳＣＣＨの受信品質に関する情報を読み出すことが可能とされるので、各々の移動局１０ａ〜１０ｃに対するＨＳ−ＳＣＣＨの送信電力の制御が各々好適になされる。
また、ＨＳ−ＳＣＣＨ品質取得部１３３は、移動局１０ａにおけるＨＳ−ＳＣＣＨの受信品質に関する情報として、ＨＳ−ＳＣＣＨで受信したデータ信号のＣＲＣチェックの結果を取得しているので、ＨＳ−ＳＣＣＨの送信電力の制御が好適になされる。
また、オフセット計算部３５は、ＨＳ−ＳＣＣＨの受信品質が予め定められた基準を満足しない場合にＨＳ−ＳＣＣＨの送信電力のオフセット値を増加させ、ＨＳ−ＳＣＣＨの受信品質が上記基準を満足する場合にはＨＳ−ＳＣＣＨの送信電力のオフセット値を減少させ、ＨＳ−ＳＣＣＨ送信部２１は、ＤＳＣＨの送信電力を下りＡ−ＤＰＣＨの送信電力にオフセット値を加算した値となるように制御しているので、ＨＳ−ＳＣＣＨの送信電力の制御が簡易かつ効率的になされる。
また、オフセット計算部３５は、ユーザデータの送信先の移動局におけるＨＳ−ＳＣＣＨの受信品質に関する情報が取得できなかった場合に、ＨＳ−ＳＣＣＨの受信品質に基づくＨＳ−ＳＣＣＨの送信電力の増減を行わないので、ＨＳ−ＳＣＣＨの受信品質に関する情報が取得できなかった場合に、ＨＳ−ＳＣＣＨの送信電力の取得に必要なオフセット値が変動せずに維持され、ＨＳ−ＳＣＣＨの送信電力の不要な変動が抑制されて、ＨＳ−ＳＣＣＨによるデータ信号の予告の送信が安定に行われる。
（第六実施形態）
続いて、第六実施形態に係る移動パケット通信システム６００について、図１３を参照して説明する。
本実施形態の移動パケット通信システム６００が第五実施形態と違う点は、移動局１０ａ〜１０ｃが、ＣＲＣ品質取得部１１４に代えて、ＨＳ−ＳＣＣＨ−ＳＩＲ取得部（移動局側共有チャネル品質取得手段）１１５を備える点である。このＨＳ−ＳＣＣＨ−ＳＩＲ取得部１１５は、ＨＳ−ＳＣＣＨ受信部１１２が受信するＨＳ−ＳＣＣＨのＳＩＲ（信号電力対干渉電力比）をＨＳ−ＳＣＣＨの受信品質として取得する。
このような第六実施形態の移動パケット通信システムにおいては、ＨＳ−ＳＣＣＨ−ＳＩＲ取得部１１５が取得したＨＳ−ＳＣＣＨのＳＩＲが上りＡ−ＤＰＣＨ送信部１１、上りＡ−ＤＰＣＨ受信部２３及びＨＳ−ＳＣＣＨ品質取得部１３３を介して記憶装置３４に移動局のユーザＩＤ毎に記憶される。そして、図１４に示すように、オフセット計算部３５は、ステップ２０７（Ｓ２０７）において、ユーザＩＤを参照して、記憶装置３４から、ユーザデータの送信先となる移動局１０ａにかかる前回のＨＳ−ＳＣＣＨ送信時のオフセット値及びＨＳ−ＳＣＣＨの品質情報としてのＨＳ−ＳＣＣＨのＳＩＲを取得する。
そして、オフセット計算部３５は、ステップ２０８（Ｓ２０８）において、取得されたＳＩＲと、あらかじめ設定されたＳＩＲの基準値とを比較し、取得されたＳＩＲがＳＩＲの基準値よりも小さいとき、すなわち、通信品質が劣化している場合は、ステップ２０４に進んで、オフセット値を所定のＴだけ上昇させる一方、ユーザデータのＳＩＲがＳＩＲの基準値以上であるとき、すなわち、通信品質が劣化していない場合は、ステップ２０５に進んでオフセット値を所定のＳだけ下げる。
そして、ステップ２０６でオフセット値を記憶装置３４に格納し、ＨＳ−ＳＣＣＨ送信部１２１に送信し、記憶装置内の当該ユーザのＳＩＲをクリアし、ステップ２２１で、予告制御信号をＨＳ−ＳＣＣＨで送信する。
そして、ステップ２３３（Ｓ２３３）において、ＨＳ−ＳＣＣＨ品質取得部１３３は、移動局１０ａからのＨＳ−ＳＣＣＨのＳＩＲを取得し、これをユーザＩＤに対応づけて記憶装置３４に格納する。
このような本実施形態においては、移動局１０ａにおけるＨＳ−ＳＣＣＨの受信品質に関する情報として、ＨＳ−ＳＣＣＨのＳＩＲに関する情報を取得しているので、第五実施形態と同様に、ＨＳ−ＳＣＣＨの送信電力の制御が好適になされる。
（第七実施形態）
次に、第七実施形態に係る移動パケット通信システム８００について、図１５を参照して説明する。
本実施形態の移動パケット通信システム８００が第五実施形態と違う点は、移動局１０ａが、下りＡ−ＤＰＣＨのＳＩＲと下りＡ−ＤＰＣＨの目標ＳＩＲ値との差に基づいて基地局２０に対して下りＡ−ＤＰＣＨの送信電力の電力制御コマンドを生成するＴＰＣ装置１４５に加えて、このＴＰＣ制御における下りＡ−ＤＰＣＨの目標ＳＩＲ値を下りＡ−ＤＰＣＨの受信データの品質に基づいて制御する、いわゆる、アウターループ制御装置８０を備えている点と、無線制御装置３０が、アウターループ制御装置８０によって制御される下りＡ−ＤＰＣＨの目標ＳＩＲを取得しその変化量を移動局１０ａのＩＤに関連づけて記憶装置３４に記憶させる下りＡ−ＤＰＣＨ目標ＳＩＲ取得部（信号電力対干渉電力比目標値取得手段）３８を備えている点である。
ここで、ＴＰＣ装置１４５は、詳しくは、下りＡ−ＤＰＣＨ受信部１３が受信した下りＡ−ＤＰＣＨのＳＩＲを取得する下りＡ−ＤＰＣＨ−ＳＩＲ取得部７１と、取得された下りＡ−ＤＰＣＨのＳＩＲと下りＡ−ＤＰＣＨの目標ＳＩＲとを比較する下りＡ−ＤＰＣＨ−ＳＩＲ比較部７２と、比較結果に基づいて下りＡ−ＤＰＣＨの送信電力の増減を指令する制御コマンドを生成し上りＡ−ＤＰＣＨ送信部１１へ送るＴＰＣコマンド生成部７３と、を備えている。
また、アウターループ制御装置８０は、下りＡ−ＤＰＣＨ受信部１３によって受信した下りＡ−ＤＰＣＨの受信品質として、フレーム誤り率等を取得する下りＡ−ＤＰＣＨ品質取得部８１と、取得された下りＡ−ＤＰＣＨの受信品質に基づいて下りＡ−ＤＰＣＨ−ＳＩＲ比較部７２の下りＡ−ＤＰＣＨ目標ＳＩＲの増減を行うと共にこの下りＡ−ＤＰＣＨ目標ＳＩＲを上りＡ−ＤＰＣＨ送信部１１に送る下りＡ−ＤＰＣＨ目標ＳＩＲ計算部８２と、を備えている。
そして、このような移動パケット通信システム８００においては、移動局１０ａの下りＡ−ＤＰＣＨ受信部１３が、基地局２０の下りＡ−ＤＰＣＨ送信部２２から所定の送信電力で送信された下りＡ−ＤＰＣＨを受信し、ＴＰＣ装置７０及びアウターループ制御装置８０によって、下りＡ−ＤＰＣＨのＳＩＲや下りＡ−ＤＰＣＨの制御信号の品質に基づいた下りＡ−ＤＰＣＨの送信電力の増減のための電力制御コマンドが生成され、上りＡ−ＤＰＣＨ送信部１１によってこの電力制御コマンドが基地局２０の上りＡ−ＤＰＣＨ受信部２３に送信され、ＴＰＣ装置１３５が電力制御コマンドに基づいて下りＡ−ＤＰＣＨ送信部２２の送信電力を制御するので、下りＡ−ＤＰＣＨの送信電力が回線状態に応じた最適値により適切に制御される。
また、上りＡ−ＤＰＣＨ送信部１１は、下りＡ−ＤＰＣＨ目標ＳＩＲ計算部８２が取得した新たな下りＡ−ＤＰＣＨ目標ＳＩＲを、上りＡ−ＤＰＣＨ受信部２３に送信し、下りＡ−ＤＰＣＨ目標ＳＩＲ取得部３８はこの下りＡ−ＤＰＣＨ目標ＳＩＲを取得し、ＨＳ−ＳＣＣＨの品質情報に加えて下りＡ−ＤＰＣＨ目標ＳＩＲの変化量Ｄを移動局１０ａのユーザＩＤと対応づけて記憶装置３４に記憶させる。
そして、基地局２０のオフセット計算部３５は、第二オフセット値制御手段として、図１６のフローチャートに示すように、まず、ステップ２１５（Ｓ２１５）において、記憶装置３４から、ユーザＩＤに対応する移動局１０ａの、ＨＳ−ＳＣＣＨの品質情報、目標ＳＩＲの変化量Ｄ及び前回送信時のオフセット値を取得し、ステップ２０３において、品質が劣化しているかどうかを判断する。
そして、品質が劣化している場合は、ステップ２０４に進んで、オフセット値をＴだけ上昇させる一方、品質が劣化していなければ、ステップ２０５に進んで、オフセット値をＳだけ低下させる。
つぎに、ステップ２２０（Ｓ２２０）において、さらに、オフセット値から目標ＳＩＲの変化量Ｄを減算し、新しいオフセット値とする。ここで、ＳとＴは常に正の値であってＳ＝ＴでもＳ≠Ｔでもよく、また、Ｄは正もしくは負の値である。すなわち、Ｄ＞０ならばオフセット値は減少し、Ｄ＜０ならばオフセット値は増加することとなる。
このような移動パケット通信システム８００においては、ＴＰＣ装置７０とアウターループ制御装置８０とによって、基地局２０から移動局１０ａへの下りＡ−ＤＰＣＨの送信電力のより好適な最適化がなされるが、このアウターループ制御において、下りＡ−ＤＰＣＨの目標ＳＩＲが変更されるとこれに伴って下りＡ−ＤＰＣＨの送信電力が急激に変化する場合がある。この場合、ＨＳ−ＳＣＣＨの送信電力の制御において、この下りＡ−ＤＰＣＨの送信電力の変化に基づくＨＳ−ＳＣＣＨの送信電力の変化と、ＨＳ−ＳＣＣＨの受信品質に関する情報に基づくＨＳ−ＳＣＣＨの送信電力の変化とが重なって、ＨＳ−ＳＣＣＨの送信電力において急激な変動が起こるおそれがある。
ところが本実施形態の移動パケット通信システム８００によれば、無線制御装置３０によって、下りＡ−ＤＰＣＨのＳＩＲの目標値に関する情報が取得され、ＨＳ−ＳＣＣＨの送信電力が、さらに、このＳＩＲの目標値に関する情報に基づいて制御され、下りＡ−ＤＰＣＨのＳＩＲの目標値の変化による下りＡ−ＤＰＣＨの送信電力の変化を考慮に入れて、ＨＳ−ＳＣＣＨの送信電力の増減幅を調節することが可能とされるので、より好適に、ＨＳ−ＳＣＣＨの送信電力の最適化が可能とされる。
また、ＨＳ−ＳＣＣＨの受信品質に関する情報に基づいてオフセット値の増減を行い、ＨＳ−ＳＣＣＨの送信電力を、下りＡ−ＤＰＣＨの送信電力にオフセット値を加算した値として制御することにより、ＤＳＣＨの送信電力の制御が簡易かつ効率的になされる。そして、下りＡ−ＤＰＣＨ目標ＳＩＲが増加／減少した場合、オフセット値からこの下りＡ−ＤＰＣＨ目標ＳＩＲの増加／減少に関する量が減算されるので、この下りＡ−ＤＰＣＨ目標ＳＩＲの増加／減少に伴って変化する下りＡ−ＤＰＣＨの送信電力の増加／減少分をあらかじめオフセットの変化量から差し引くことができ、ＨＳ−ＳＣＣＨの送信電力における急激な変動が抑制される。
（第八実施形態）
次に、図１７及び図１８を参照して、本発明の第八実施形態に係る移動パケット通信システム９００について説明する。図１７に示す様に、移動パケット通信システム９００は、移動局へのデータ信号のパケット通信が可能なシステムであって、ユーザが携帯使用すると共に所定の通信エリア内にある複数の移動局１０と、これら移動局１０と直接に無線交信を行うことが可能な複数の基地局２０と、基地局２０内に各々設けられ基地局２０と移動局１０との間におけるパケット通信を各々統括的に制御する無線制御装置３０と、外部のネットワークとの中継点として機能する交換装置４０と、交換装置４０と複数の基地局２０との間で信号の中継を行う無線ネットワーク制御装置３と、を有し、交換装置４０から移動局１０まで双方向に通信可能に構成されている。
図１８は、第八実施形態における移動パケット通信システム９００の基地局２０の機能的構成と動作を説明する為の概念図である。図１８に示す様に、本実施形態における移動パケット通信システム９００の基地局２０が、第一実施形態における移動パケット通信システム１００の基地局２０と異なる点は、無線制御装置３０が各々の基地局２０等内に各々設けられている点である。
このような移動パケット通信システム９００における無線制御装置３０及び移動局１０の構成は第一実施形態と同様である。また、基地局２０内における無線制御装置３０以外の構成も、第一実施形態と同様である。
そして、このような移動パケット通信システム９００によれば、第一実施形態と同様の制御フローによって、ＤＳＣＨ送信部２１からのデータ信号（第二信号）の送信電力が、下りＡ−ＤＰＣＨの制御信号（第一信号）の送信電力及び移動局１０でのＤＳＣＨの受信品質に基づいて制御され、第一実施形態との作用効果を示す。さらに、本実施形態によれば、移動パケット通信システム９００は、ＤＳＣＨの受信品質の取得からＤＳＣＨの送信電力決定、及びデータ送信指示までの一連の処理を基地局２０内部で実行し制御することができるので、送信電力の制御を高速にかつきめ細やかに行うことができる。
（第九実施形態）
次に、図１９及び図２０を参照して、本発明の第九実施形態の移動パケット通信システム１０００について説明する。図１９は、本実施形態における移動パケット通信システム１０００の全体構成例を示す模式図である。移動パケット通信システム１０００は、ユーザが携帯使用し所定の通信エリア内にある複数の移動局１０ａ〜１０ｃと、複数の移動局１０ａ〜１０ｃと直接に各々無線交信を行う複数の基地局２０と、基地局２０と移動局１０ａ〜１０ｃとの間におけるパケット通信を統括的に制御する無線制御装置３０と、無線制御装置３０と外部の信号網との中継点として機能する交換装置４０と、が階梯を為し、双方向に通信可能に接続されて構成されている。
図２０は、第九実施形態における移動パケット通信システム１０００の機能的構成と動作を説明する為の概念図である。本実施形態における移動パケット通信システム１０００の基地局２０の構成が、第五実施形態における移動パケット通信システム５００の基地局２０の構成と異なる点は、無線制御装置３０が基地局２０の外に配置されている点であり、無線制御装置３０は複数の基地局２０を制御可能となっている。すなわち、パケット通信のスケジューリングは基地局２０の外でなされることとなる。
また、このような移動パケット通信システム１０００における無線制御装置３０及び移動局１０ａ〜１０ｃの構成は第五実施形態と同様である。また、基地局２０の構成は、無線制御装置３０を内部に有さず外部に配置された無線制御装置３０と接続されて互いに通信することを除いては、第五実施形態の基地局２０と同様である。
そして、このような移動パケット通信システム１０００によれば、第五実施形態と同様の制御フローによってＨＳ−ＳＣＣＨの送信電力が制御され、第五実施形態との作用効果を示す。
最後に、本発明の実施形態にかかる無線制御プログラム、および、当該無線制御プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
図２１は、本発明の実施形態に係る記録媒体の構成図である。記録媒体１５０は、プログラムを記録するプログラム領域１５２を備えている。このプログラム領域１５２には、無線制御プログラム１５６が記録されている。無線制御プログラム１５６は、コンピュータに基地局２０の制御をさせるプログラムであって、処理を統括するメインモジュール１５８と、ＤＳＣＨの品質に関する情報を取得するＤＳＣＨ品質取得モジュール１６０と、ＤＳＣＨの送信電力のオフセット値を計算するオフセット計算モジュール１６２と、オフセット値やＤＳＣＨの品質情報が記憶される記憶モジュール１６４と、を備えて構成される。ここで、ＤＳＣＨ品質取得モジュール１６０はＤＳＣＨ品質取得部３３と同様の機能を有し、オフセット計算モジュール１６２はオフセット計算部３５と同様の機能を有し、記憶モジュール１６４は記憶装置３４への記憶を行わせるための機能を有する。すなわち、この無線制御プログラム１５６を動作させることによって実現する機能は、上記第一実施形態の無線制御装置３０の機能と同様である。なお、同様にして、第二〜四及び第八実施形態の無線制御装置３０の機能を実現する無線制御プログラム及びこれらの無線制御プログラムが記録された記録媒体を構成することができる。
図２２は、本発明の他の実施形態に係る記録媒体の構成図である。無線制御プログラム２５６は、コンピュータに基地局２０の制御をさせるプログラムであって、処理を統括するメインモジュール１５８と、ＨＳ−ＳＣＣＨの品質に関する情報を取得するＨＳ−ＳＣＣＨ品質取得モジュール２６０と、ＳＨＳ−ＳＣＣＨの送信電力のオフセット値を計算するオフセット計算モジュール２６２と、オフセット値やＨＳ−ＳＣＣＨの品質情報が記憶される記憶モジュール２６４と、を備えて構成される。ここで、ＨＳ−ＳＣＣＨ品質取得モジュール２６０はＨＳ−ＳＣＣＨ品質取得部１３３と同様の機能を有し、オフセット計算モジュール２６２はオフセット計算部３５と同様の機能を有し、記憶モジュール２６４は記憶装置３４への記憶を行わせるための機能を有する。すなわち、この無線制御プログラム２５６を動作させることによって実現する機能は、上記第五実施形態の基地局２０における無線制御装置３０の機能と同様である。なお、同様にして、第六、第七及び第九実施形態の無線制御装置３０の機能を実現する無線制御プログラム及びこれらの無線制御プログラムが記録された記録媒体を構成することができる。
図２３は、記録媒体１５０に記録された無線制御プログラム１５６や無線制御プログラム２５６を実行するためのコンピュータ（例えばサーバシステム）のシステム構成図であり、図２４は、記録媒体１５０に記録された無線制御プログラム１５６を実行するためのコンピュータの斜視図である。コンピュータ１２０は、図２３及び図２４に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、無線制御プログラム１５６の実行等を制御するＣＰＵ１１４とを備えている。ここで、記録媒体１５０が読み取り装置１０２に挿入されると、記録媒体１５０に記録された情報が読み取り装置１０２からアクセス可能となり、記録媒体１５０のプログラム領域１５２に記録された無線制御プログラム１５６等が、コンピュータ１２０によって実行可能となる。
上記読み取り装置１０２としては、記録媒体１５０に対応して、フレキシブルディスクドライブ装置、ＣＤ−ＲＯＭドライブ装置、あるいは磁気テープドライブ装置などが用いられる。
なお、本発明は、上記実施形態に限定されるものではなく、種々の変形態様をとることが可能である。例えば、第一〜四実施形態では、基地局２０のＤＳＣＨ送信部２１は、ＤＳＣＨの送信電力を下りＡ−ＤＰＣＨの送信電力に所定のオフセット値を加算したものとして制御しているが、下りＡ−ＤＰＣＨの送信電力に基づいて制御すればこれに限られず、例えば、下りＡ−ＤＰＣＨの送信電力に所定のオフセット値を乗算等しても構わない。
さらに、上記第一〜四実施形態では、基地局２０の外に無線制御装置３０を備えているが、これに限られず、基地局２０内に上記実施形態の無線制御装置３０における電力制御機能を備えても良い。
また、第四実施形態は、第一実施形態の移動パケット通信システムに下りＡ−ＤＰＣＨ目標ＳＩＲ取得部３８等を加えたものであるが、第二、第三実施形態の移動パケット通信システムに、下りＡ−ＤＰＣＨ目標ＳＩＲ取得部３８等を加えても構わない。
また、上記実施形態では、共有チャネルとしてＤＳＣＨやＨＳ−ＳＣＣＨを採用しているがこれに限られず、移動局間で時分割で共有されると共に、Ａ−ＤＰＣＨのような個別のチャネルの送信電力に基づいて制御される共有チャネルに適用できる。
また、第八実施形態では、第一実施形態の無線制御装置３０を基地局２０内に備えているが、これに限られず、例えば、第二〜四実施形態の無線制御装置３０を基地局２０内に備えていてもよい。
また、第九実施形態では、第五実施形態の無線制御装置３０が基地局２０の外に配置された構成とされているが、これに限られず、例えば、第六、第七実施形態の無線制御装置３０が基地局２０の外に配置された構成としてもよい。
産業上の利用可能性
本発明に係る無線制御装置、基地局、無線制御方法、移動パケット通信システム、移動局、無線制御プログラム及びコンピュータ読み取り可能な記録媒体によれば、移動局における共有チャネルの受信品質に関する情報が取得され、共有チャネルの送信電力が、個別チャネルの送信電力に加えて、さらに、共有チャネルの受信品質に関する情報に基づいて制御されるので、この共有チャネルの送信電力を、受信品質の劣化を抑制しつつ最適化することが可能とされる。これにより、他に与える干渉等を低減することができ、加入者容量の増加も可能とされる。
【図面の簡単な説明】
図１は、第一実施形態に係る移動パケット通信システムの概略構成図である。
図２は、第一実施形態に係る移動パケット通信システムのブロック図である。
図３は、図２中のオフセット計算部の処理手順を示すフローチャートである。
図４は、第二実施形態に係る移動パケット通信システムのブロック図である。
図５は、図４中のオフセット計算部の処理手順を示すフローチャートである。
図６は、第三実施形態に係る移動パケット通信システムのブロック図である。
図７は、図６中のオフセット計算部の処理手順を示すフローチャートである。
図８は、第四実施形態に係る移動パケット通信システムのブロック図である。
図９は、図８中のオフセット計算部の処理手順を示すフローチャートである。
図１０は、第五実施形態に係る移動パケット通信システムの概略構成図である。
図１１は、第五実施形態に係る移動パケット通信システムのブロック図である。
図１２は、図１１の基地局の処理手順を示すフローチャートである。
図１３は、第六実施形態に係る移動パケット通信システムのブロック図である。
図１４は、図１３中の基地局の処理手順を示すフローチャートである。
図１５は、第七実施形態に係る移動パケット通信システムのブロック図である。
図１６は、図１５中の基地局の処理手順を示すフローチャートである。
図１７は、第八実施形態に係る移動パケット通信システムの概略構成図である。
図１８は、第八実施形態に係る移動パケット通信システムのブロック図である。
図１９は、第九実施形態に係る移動パケット通信システムの概略構成図である。
図２０は、第九実施形態に係る移動パケット通信システムのブロック図である。
図２１は、本実施形態に係る記録媒体の構成図である。
図２２は、本実施形態に係る他の記録媒体の構成図である。
図２３は、コンピュータのシステム構成図である。
図２４は、コンピュータの斜視図である。
図２５は、従来の移動パケット通信システムの構成図である。
図２６は、図２５の従来の移動パケット通信システムのＤＳＣＨの送信電力の制御方法を示す概略図である。
【図１】
2003036822.tif 000003
【図２】
2003036822.tif 000004
【図３】
2003036822.tif 000005
【図４】
2003036822.tif 000006
【図５】
2003036822.tif 000007
【図６】
2003036822.tif 000008
【図７】
2003036822.tif 000009
【図８】
2003036822.tif 000010
【図９】
2003036822.tif 000011
【図１０】
2003036822.tif 000012
【図１１】
2003036822.tif 000013
【図１２】
2003036822.tif 000014
【図１３】
2003036822.tif 000015
【図１４】
2003036822.tif 000016
【図１５】
2003036822.tif 000017
【図１６】
2003036822.tif 000018
【図１７】
2003036822.tif 000019
【図１８】
2003036822.tif 000020
【図１９】
2003036822.tif 000021
【図２０】
2003036822.tif 000022
【図２１】
2003036822.tif 000023
【図２２】
2003036822.tif 000024
【図２３】
2003036822.tif 000025
【図２４】
2003036822.tif 000026
【図２５】
2003036822.tif 000027
【図２６】
2003036822.tif 000028
【国際調査報告】
2003036822.tif 000029
2003036822.tif 000030
2003036822.tif 000031
2003036822.tif 000032